(57)【特許請求の範囲】
【請求項１】
前側から後側へ順次積層された液晶パネル、光学シート、バックライト及びバックライト収容体を備える液晶表示装置において、
前記液晶パネルの前側周縁部及びバックライト収容体の後側周縁部に当接して、該液晶パネル、光学シート、バックライト及びバックライト収容体を挟持する前面視形状が矩形状かつ断面形状が内側に向かって開いたコの字状の枠体を備え、
該枠体は四つの直線状の枠部材に分割可能であり、
前記枠部材は、互いに突き合わさる位置に設けられたほぞ組構造により継ぎ合わされており、
前記ほぞ組構造は前記バックライト収容体の後側周縁部に当接する前記枠体の後側部分に形成されている
ことを特徴とする液晶表示装置。
【請求項２】
一の枠部材における前記後側部分の両端部に、継ぎ合わされる他の枠部材に対向するほぞ穴が夫々設けられており、
前記他の枠部材の前記後側部分における前記一の枠部材と突き合わさる位置に、夫々前記ほぞ穴に嵌合するほぞが設けられている
ことを特徴とする請求項１に記載の液晶表示装置。
【請求項３】
前記バックライト収容体は前面が開口された箱状をなし、
前記液晶パネル、光学シート及びバックライトは、前記バックライト収容体の内底面上に積層されており、
前記枠体における前記後側部分の前面に、突部が設けられており、
前記突部と対向する前記バックライト収容体の後側周縁部に、前記突部が嵌合可能なスリットが該バックライト収容体の周縁に対して略平行に設けられている
ことを特徴とする請求項１又は請求項２に記載の液晶表示装置。
【請求項４】
前側から後側へ順次積層された液晶パネル、光学シート、バックライト及びバックライト収容体を備える液晶表示装置において、
前記バックライト収容体は前面が開口された箱状をなし、
前記液晶パネル、光学シート及びバックライトは、前記バックライト収容体の内底面上に積層されており、
前記液晶パネル及びバックライト収容体に当接して、該液晶パネル、光学シート、バックライト及びバックライト収容体を挟持する前面視形状が矩形状かつ断面形状が内側に向かって開いたコの字状の枠体を備え、
前記枠体の内面及び該内面と対向する前記バックライト収容体の外面の一方に突部が設けられ、他方に該突部が嵌合可能な溝部が設けられており、
前記バックライト収容体の外面に前記突部が設けられており、
前記枠体の内面に前記溝部が設けられており、
前記枠体は、
前記溝部の一端方向に該溝部よりも深く削成された平坦部と、
該平坦部及び前記溝部の底部を継ぐ傾斜部と
を有し、
前記突部の高さは、前記バックライト収容体の外面から前記溝部の底部及び前記平坦部夫々までの距離の中間の長さである
ことを特徴とする液晶表示装置。
【請求項５】
前記溝部は、
直列状に配置され、深さが異なる第一及び第二溝部と、
該第一及び第二溝部夫々の底部を継ぐ傾斜部と
を有し、
前記突部の高さは、前記枠体の内面又は前記バックライト収容体の外面から第一及び第二溝部の底部夫々までの距離の中間の長さである
ことを特徴とする請求項４に記載の液晶表示装置。
【請求項６】
前記枠体は四つの直線状の枠部材に分割可能であり、
前記枠部材は、夫々押出成型品である
ことを特徴とする請求項４又は請求項５に記載の液晶表示装置。
【請求項７】
映像を表示する表示パネルと、該表示パネルの周囲を覆う枠体とを備え、前記枠体は前記表示パネルの縁に沿って延びる複数の枠部材によって構成される表示装置において、
一の枠部材は、
前記表示パネルの縁部分を挿入する長手方向に延びたパネル挿入溝と、
該パネル挿入溝の端部に形成してあり、他の枠部材を嵌合する嵌合凹部と
を備え、
前記他の枠部材の端部に前記嵌合凹部に嵌合する突出部を設けてあり、
前記突出部は尖端部分を有し、
前記嵌合凹部は前記パネル挿入溝の内面に形成してあり、前記尖端部分に対応したＶ字状をなすこと
を特徴とする表示装置。
【請求項８】
前記尖端部分は、前記他の枠部材の端部外周面から突出した円弧状の尖端条であり、
前記嵌合凹部は前記パネル挿入溝の底面及び両側面に亘ってＵ字状に延びた断面Ｖ字形の溝状をなすこと
を特徴とする請求項７に記載の表示装置。
【請求項９】
映像を表示する表示パネルと、該表示パネルの周囲を覆う枠体とを備え、前記枠体は前記表示パネルの縁に沿って延びる複数の枠部材によって構成される表示装置において、
一の枠部材は、
前記表示パネルの縁部分を挿入する長手方向に延びたパネル挿入溝と、
該パネル挿入溝の端部に形成してあり、他の枠部材を嵌合する嵌合凹部と
を備え、
前記他の枠部材の端部に前記嵌合凹部に嵌合する突出部を設けてあり、
前記嵌合凹部は前記パネル挿入溝の側面に形成してあり、
対向する前記嵌合凹部の両側面の対向間距離は前記パネル挿入溝の底面側が短くなるようにしてあること
を特徴とする表示装置。
【請求項１０】
映像を表示する表示パネルと、該表示パネルの周囲を覆う枠体とを備え、前記枠体は前記表示パネルの縁に沿って延びる複数の枠部材によって構成される表示装置において、
一の枠部材は、
前記表示パネルの縁部分を挿入する長手方向に延びたパネル挿入溝と、
該パネル挿入溝の端部に形成してあり、他の枠部材を嵌合する嵌合凹部と
を備え、
前記他の枠部材の端部に前記嵌合凹部に嵌合する突出部を設けてあり、
前記表示パネルは矩形状をなし、
前記嵌合凹部は、前記表示パネルの互いに直交する二周面に交差する方向に傾斜した傾斜面を有すること
を特徴とする表示装置。
【請求項１１】
前記嵌合凹部及び突出部は前記他の枠部材の長手方向に直交する方向に沿って設けてあり、
前記突出部は前記他の枠部材における前記パネル挿入溝の内面に設けてあり、
前記他の枠部材における前記パネル挿入溝の内側にて、前記突出部が前記嵌合凹部に嵌合していること
を特徴とする請求項７から請求項１０までのいずれか一項に記載の表示装置。
【請求項１２】
前記一及び他の枠部材それぞれにおける前記パネル挿入溝の一側面側に前記嵌合凹部及び突出部が設けてあり、
前記一及び他の枠部材それぞれにおける前記一側面に対向した前記パネル挿入溝の他側面側に、前記嵌合凹部及び突出部による嵌合を案内する案内凹部及び案内凸部が設けてあること
を特徴とする請求項１１に記載の表示装置。
【発明の詳細な説明】
【技術分野】
【０００１】
本発明は、液晶表示装置及び表示装置に関する。
【背景技術】
【０００２】
液晶表示装置は、液晶パネル、光学シート、バックライト等の構成部材を含み、これらの構成部材は枠体で保持される（例えば、特許文献１、２）。枠体で保持された構成部材は、更にフロントキャビネット、バックキャビネット等の筐体部材からなる筐体に収容される。
【０００３】
また、これらの構成部材は、製造コストを低減するために分割可能な枠体で保持される。分割された枠体部材は、強度を担保するために連結部材で連結される（例えば、特許文献３）。
【０００４】
筐体に対して構成部材は、例えば蟻型及び蟻溝からなる係止構造により固定されたり（特許文献３参照）、ねじ、ピン等の固定部材により固定される（特許文献４、５参照）。
【０００５】
表示画面の大きさに比べて室内の占有面積が小さい薄型の表示装置は、限られた室内空間を有効に利用することができることから、一般に広く普及している。表示装置は、矩形の表示パネルと、該表示パネルの周囲を覆う枠体とを備える。
【０００６】
近年、複数の杆体を連結してなる枠体を用いた表示装置が提案されている（例えば特許文献６）。一体成形で矩形枠形の枠体を製造する場合に比べて、杆体を連結して製造した枠体は、種々の画面寸法に応じた変更を行い易く、また金型費用を削減することができる。
【０００７】
特許文献７には、断面コの字形をなす杆体を連結した矩形の枠体が開示してある。断面コの字形をなす杆体は、その内側に表示パネル及び光学部材を配置することができるため、これを表示装置の枠体に使用することが考えられる。
【０００８】
液晶表示装置は、液晶表示パネル及びバックライトをベゼルによってユニット化した表示ユニットを備える。該表示ユニットの前側周縁及び後面は、それぞれ枠状フロントキャビネット及びバックキャビネットによって覆われている。
【０００９】
表示ユニットは、液晶表示パネルと、該液晶表示パネルの後面側に配されるバックライトユニットとを備える（例えば、特許文献８）。液晶表示パネルにはフレキシブル配線基板が複数接続され、画像信号に基づいた電圧を供給する液晶駆動回路がＣＯＦ（Chip On Film）方式で該フレキシブル配線基板に実装されている。また、フレキシブル配線基板には、プリント回路基板が接続されている。プリント回路基板はケーブルを介してコントロール基板に接続されている。
【００１０】
液晶表示パネル及びバックライトユニットはベゼルによって保持及び保護されている。ベゼルは、開口した四辺形の額縁形状を有しており、熱伝導性が良いステンレス等の金属製の板材からプレス加工等によって形成されている。ベゼルの外周縁には、背面側に向かって起立した側壁部が形成されており、ベゼルの各辺は略Ｌ字形状の断面を有している。また、ベゼルの側壁部には、プレス加工等によって内側に突出させるように形成された突出部が複数形成されている。突出部は、フレキシブル配線基板のフィルム基材を介して接触している。
【００１１】
液晶表示装置の薄型化の手法として、正面視略矩形のトレー状の収容体に、反射シート、導光板、光学シート及び液晶表示パネルを積層し、その４辺それぞれを、溝が形成された枠体で挾持する方法がある。この手法によれば、液晶表示パネル及びバックライトユニットをユニット化するベゼルが不要になり、液晶表示装置の薄型化を図ることができる。
【００１２】
ＬＥＤバックライトを備えた液晶表示装置が開示されている（例えば、特許文献９）。ＬＥＤバックライトは、矩形状の導光板と、導光板の入射側端面に沿って、発光面が入射側端面に対向するように配置された複数のＬＥＤ光源と、導光板及びＬＥＤ光源を支持するフレームを備える。複数のＬＥＤ光源は、導光板の厚さと同幅の配線板にアレイ状をなすように実装されていると共に、該配線板の両面に放熱体が設けられ、かつ該放熱体がフレームに直接接触している。フレームは導光板の周縁を覆っており、ＬＥＤ光源の熱は液晶表示装置の側面から放熱される。
【先行技術文献】
【特許文献】
【００１３】
【特許文献１】特開２０００−２４２１８９号公報
【特許文献２】特開２００６−２０１３１８号公報
【特許文献３】特開２０１０−７２２０７号公報
【特許文献４】特開２００３−６１８００号公報
【特許文献５】特開平７−１６１３８号公報
【特許文献６】特開２００８−１９７１６６号公報
【特許文献７】特開２００８−８００４４号公報
【特許文献８】特開２００９−１４９００号公報
【特許文献９】特開２００６−２１６２４４号公報
【発明の概要】
【発明が解決しようとする課題】
【００１４】
液晶表示装置には、大型化の進展に伴い、軽量化、薄型化及び狭額縁化が要求されている。軽量化、薄型化及び狭額縁化を実現する方法の一つは、部品点数を削減することである。しかしながら、品質を維持しつつ、部品点数を削減することの困難性が増大している。軽量化、薄型化及び狭額縁化を実現すべく、当該困難性を克服するための更なる工夫が求められている。また、分割された枠体部材を連結する連結部材は、軽量化に反する。
【００１５】
特許文献３に係る係止構造においては、液晶表示装置の全周に渡って係止構造を設けるスペースを必要とし、薄型化及び狭額縁化に反する。また、例えば多数のねじによる固定は、手間がかかる。そこで、組み立て効率を向上させるために固定部材の削減が求められている。
【００１６】
特許文献７のように、断面コの字形をなす杆体を連結して枠体を製造した場合、連結部分に隙間ができ易く、塵埃の進入、光漏れ及び外観品位の低下を招くおそれがある。
【００１７】
特許文献８の液晶表示装置であれば、液晶表示パネルの液晶駆動回路で発生した熱をベゼルに伝導させて放熱することができるが、ベゼルを廃した薄型の液晶表示装置ではベゼルを用いた放熱ができないという問題がある。また、特許文献８においては、ベゼルに設けられた突出部と、液晶駆動回路とを位置合わせして当接させる必要があり、液晶表示装置の組み立てに手間と時間を要するという問題がある。
【００１８】
液晶表示装置の薄型化によって側面の表面積が狭くなり、ＬＥＤ光源が発する熱を前記側面から十分に発散することが困難になっている。また、液晶表示装置の側面からの放熱量が大きいと、ユーザが該側面を触った際に異常に熱い等の違和感を覚え、機器に異常が発生したとの誤解を招くおそれがある。
【００１９】
本発明は、かかる事情に鑑みてなされたものであり、その目的は、軽量化、薄型化及び狭額縁化を実現することができる液晶表示装置を提供することにある。
【００２０】
本発明の他の目的は、連結部材を排除し、軽量化、薄型化及び狭額縁化を実現することができる液晶表示装置を提供することにある。
【００２１】
本発明の更に他の目的は、構成部材を固定する係止構造及び固定部材を削減し、かつ組み立て効率を向上させることができる液晶表示装置を提供することにある。
【００２２】
本発明の更に他の目的は、枠体を構成する枠部材の連結部分にて隙間が発生することを防止することができる表示装置を提供することにある。
【００２３】
本発明の更に他の目的は、収容体に、導光板、光学シート及び液晶表示パネルを積層し、その周縁を溝が形成された枠体で挾持する構成を採用することにより薄型化でき、しかも液晶表示パネルの液晶駆動回路で発生した熱を効果的に放熱でき、液晶駆動回路の位置合わせも不要な液晶表示装置を提供することにある。
【００２４】
本発明の更に他の目的は、収容体に、導光板、光学シート及び液晶表示パネルを積層し、その周縁を溝が形成された枠体で挾持する構成を採用することにより薄型化でき、しかもエッジライト方式の光源の熱を側面及び後面側から発散することができ、側面部の温度上昇を抑えることができる液晶表示装置を提供することにある。
【課題を解決するための手段】
【００２９】
本発明に係る液晶表示装置は、前側から後側へ順次積層された液晶パネル、光学シート、バックライト及びバックライト収容体を備える液晶表示装置において、前記液晶パネルの前側周縁部及びバックライト収容体の後側周縁部に当接して、該液晶パネル、光学シート、バックライト及びバックライト収容体を挟持する前面視形状が矩形状かつ断面形状が内側に向かって開いたコの字状の枠体を備え、該枠体は四つの直線状の枠部材に分割可能であり、前記枠部材は、互いに突き合わさる位置に設けられたほぞ組構造により継ぎ合わされており、前記ほぞ組構造は前記バックライト収容体の後側周縁部に当接する前記枠体の後側部分に形成されていることを特徴とする。
【００３１】
本発明に係る液晶表示装置は、一の枠部材における前記後側部分の両端部に、継ぎ合わされる他の枠部材に対向するほぞ穴が夫々設けられており、前記他の枠部材の前記後側部分における前記一の枠部材と突き合わさる位置に、夫々前記ほぞ穴に嵌合するほぞが設けられていることを特徴とする。
【００３２】
本発明に係る液晶表示装置は、前記バックライト収容体は前面が開口された箱状をなし、前記液晶パネル、光学シート及びバックライトは、前記バックライト収容体の内底面上に積層されており、前記枠体における前記後側部分の前面に、突部が設けられており、前記突部と対向する前記バックライト収容体の後側周縁部に、前記突部が嵌合可能なスリットが該バックライト収容体の周縁に対して略平行に設けられていることを特徴とする。
【００３３】
本発明に係る液晶表示装置は、前側から後側へ順次積層された液晶パネル、光学シート、バックライト及びバックライト収容体を備える液晶表示装置において、前記バックライト収容体は前面が開口された箱状をなし、前記液晶パネル、光学シート及びバックライトは、前記バックライト収容体の内底面上に積層されており、前記液晶パネル及びバックライト収容体に当接して、該液晶パネル、光学シート、バックライト及びバックライト収容体を挟持する前面視形状が矩形状かつ断面形状が内側に向かって開いたコの字状の枠体を備え、前記枠体の内面及び該内面と対向する前記バックライト収容体の外面の一方に突部が設けられ、他方に該突部が嵌合可能な溝部が設けられており、前記バックライト収容体の外面に前記突部が設けられており、前記枠体の内面に前記溝部が設けられており、前記枠体は、前記溝部の一端方向に該溝部よりも深く削成された平坦部と、該平坦部及び前記溝部の底部を継ぐ傾斜部とを有し、前記突部の高さは、前記バックライト収容体の外面から前記溝部の底部及び前記平坦部夫々までの距離の中間の長さであることを特徴とする。
【００３４】
本発明に係る液晶表示装置は、前記溝部は、直列状に配置され、深さが異なる第一及び第二溝部と、該第一及び第二溝部夫々の底部を継ぐ傾斜部とを有し、前記突部の高さは、前記枠体の内面又は前記バックライト収容体の外面から第一及び第二溝部の底部夫々までの距離の中間の長さであることを特徴とする。
【００３５】
本発明に係る液晶表示装置は、前記枠体は四つの直線状の枠部材に分割可能であり、前記枠部材は、夫々押出成型品であることを特徴とする。
【００３７】
本発明に係る表示装置は、映像を表示する表示パネルと、該表示パネルの周囲を覆う枠体とを備え、前記枠体は前記表示パネルの縁に沿って延びる複数の枠部材によって構成される表示装置において、一の枠部材は、前記表示パネルの縁部分を挿入する長手方向に延びたパネル挿入溝と、該パネル挿入溝の端部に形成してあり、他の枠部材を嵌合する嵌合凹部とを備え、前記他の枠部材の端部に前記嵌合凹部に嵌合する突出部を設けてあり、前記突出部は尖端部分を有し、前記嵌合凹部は前記パネル挿入溝の内面に形成してあり、前記尖端部分に対応したＶ字状をなすことを特徴とする。
【００３９】
本発明に係る表示装置は、前記尖端部分は、前記他の枠部材の端部外周面から突出した円弧状の尖端条であり、前記嵌合凹部は前記パネル挿入溝の底面及び両側面に亘ってＵ字状に延びた断面Ｖ字形の溝状をなすことを特徴とする。
【００４０】
本発明に係る表示装置は、映像を表示する表示パネルと、該表示パネルの周囲を覆う枠体とを備え、前記枠体は前記表示パネルの縁に沿って延びる複数の枠部材によって構成される表示装置において、一の枠部材は、前記表示パネルの縁部分を挿入する長手方向に延びたパネル挿入溝と、該パネル挿入溝の端部に形成してあり、他の枠部材を嵌合する嵌合凹部とを備え、前記他の枠部材の端部に前記嵌合凹部に嵌合する突出部を設けてあり、前記嵌合凹部は前記パネル挿入溝の側面に形成してあり、対向する前記嵌合凹部の両側面の対向間距離は前記パネル挿入溝の底面側が短くなるようにしてあることを特徴とする。
【００４１】
本発明に係る表示装置は、映像を表示する表示パネルと、該表示パネルの周囲を覆う枠体とを備え、前記枠体は前記表示パネルの縁に沿って延びる複数の枠部材によって構成される表示装置において、一の枠部材は、前記表示パネルの縁部分を挿入する長手方向に延びたパネル挿入溝と、該パネル挿入溝の端部に形成してあり、他の枠部材を嵌合する嵌合凹部とを備え、前記他の枠部材の端部に前記嵌合凹部に嵌合する突出部を設けてあり、前記表示パネルは矩形状をなし、前記嵌合凹部は、前記表示パネルの互いに直交する二周面に交差する方向に傾斜した傾斜面を有することを特徴とする。
【００４２】
本発明に係る表示装置は、前記嵌合凹部及び突出部は前記他の枠部材の長手方向に直交する方向に沿って設けてあり、前記突出部は前記他の枠部材における前記パネル挿入溝の内面に設けてあり、前記他の枠部材における前記パネル挿入溝の内側にて、前記突出部が前記嵌合凹部に嵌合していることを特徴とする。
【００４３】
本発明に係る表示装置は、前記一及び他の枠部材それぞれにおける前記パネル挿入溝の一側面側に前記嵌合凹部及び突出部が設けてあり、前記一及び他の枠部材それぞれにおける前記一側面に対向した前記パネル挿入溝の他側面側に、前記嵌合凹部及び突出部による嵌合を案内する案内凹部及び案内凸部が設けてあることを特徴とする。
【発明の効果】
【００４４】
本発明に係る液晶表示装置によれば、軽量化、薄型化及び狭額縁化を実現することができる。
【００４５】
本発明に係る液晶表示装置によれば、連結部材を排除し、軽量化、薄型化及び狭額縁化を実現することができる。
【００４６】
本発明に係る液晶表示装置によれば、構成部材を固定する係止構造及び固定部材を削減し、かつ組み立て効率を向上させることができる。
【００４７】
本発明に係る表示装置によれば、一の枠部材のパネル挿入溝に嵌合凹部を形成し、他の枠部材の端部の突出部を嵌合凹部に嵌合し、隙間の発生を防ぐので、塵埃の進入及び光漏れを防止し、外観品位を向上させることができる。
【図面の簡単な説明】
【００４８】
【図１】テレビジョン受信機の正面図である。
【図２】テレビジョン受信機の背面図である。
【図３】テレビジョン受信機の右側面図である。
【図４】テレビジョン受信機の分解斜視図である。
【図５Ａ】バックライトシャーシの部分的な斜視図である。
【図５Ｂ】枠体を取り付ける前段階におけるテレビジョン受信機の部分的な斜視図である。
【図６】遮光ホルダの部分的な斜視図である。
【図７】バックライトシャーシ等に枠体を取り付ける方法を示す説明図である。
【図８Ａ】テレビジョン受信機の部分的な断面図である。
【図８Ｂ】テレビジョン受信機の部分的な断面図である。
【図８Ｃ】テレビジョン受信機の部分的な断面図である。
【図８Ｄ】テレビジョン受信機の部分的な断面図である。
【図９】テレビジョン受信機の部分的な分解斜視図である。
【図１０Ａ】テレビジョン受信機の部分的な断面図である。
【図１０Ｂ】テレビジョン受信機の部分的な断面図である。
【図１０Ｃ】テレビジョン受信機の部分的な断面図である。
【図１１】テレビジョン受信機の部分的な断面図である。
【図１２Ａ】テレビジョン受信機を組み立てる手順を説明する説明図である。
【図１２Ｂ】テレビジョン受信機を組み立てる手順を説明する説明図である。
【図１２Ｃ】テレビジョン受信機を組み立てる手順を説明する説明図である。
【図１２Ｄ】テレビジョン受信機を組み立てる手順を説明する説明図である。
【図１２Ｅ】テレビジョン受信機を組み立てる手順を説明する説明図である。
【図１２Ｆ】テレビジョン受信機を組み立てる手順を説明する説明図である。
【図１２Ｇ】テレビジョン受信機を組み立てる手順を説明する説明図である。
【図１２Ｈ】テレビジョン受信機を組み立てる手順を説明する説明図である。
【図１２Ｉ】テレビジョン受信機を組み立てる手順を説明する説明図である。
【図１２Ｊ】テレビジョン受信機を組み立てる手順を説明する説明図である。
【図１３Ａ】下枠をバックライトシャーシに固定する方法を示す説明図である。
【図１３Ｂ】下枠をバックライトシャーシに固定する方法を示す説明図である。
【図１４】テレビジョン受信機の部分的な断面図である。
【図１５】枠体を取り付ける前段階におけるテレビジョン受信機の部分的な斜視図である。
【図１６】図１５のＸＶＩ−ＸＶＩ線における断面図である。
【図１７】枠体を取り付ける前段階におけるテレビジョン受信機の部分的な斜視図である。
【図１８】側枠の後壁内面に設けられた凹部の斜視図である。
【図１９Ａ】側枠の取り付け工程を示す説明図である。
【図１９Ｂ】側枠の取り付け工程を示す説明図である。
【図１９Ｃ】側枠の取り付け工程を示す説明図である。
【図１９Ｄ】側枠の取り付け工程を示す説明図である。
【図１９Ｅ】側枠の取り付け工程を示す説明図である。
【図２０】上枠の部分的な上面断面図である。
【図２１】枠体を取り付ける前段階におけるテレビジョン受信機の部分的な斜視図である。
【図２２】側枠の後壁内面に設けられたＴ字突出部の斜視図である。
【図２３】テレビジョン受信機の部分的な断面図である。
【図２４】実施の形態６に係るテレビジョン受信機の略示斜視図である。
【図２５】テレビジョン受信機の略示分解斜視図である。
【図２６】上枠部材及び横枠部材の連結部分を略示する部分分解斜視図である。
【図２７】図２４に示すＸＸＶＩＩ−ＸＸＶＩＩ線を切断線とした部分断面図である。
【図２８】図２４に示すＸＸＶＩＩＩ−ＸＸＶＩＩＩ線を切断線とした部分断面図である。
【図２９】実施の形態７に係るテレビジョン受信機の上枠部材及び横枠部材の連結部分を略示する部分分解斜視図である。
【図３０】上枠部材及び横枠部材の連結部分を略示する拡大斜視図である。
【図３１】実施の形態８に係るテレビジョン受信機の背面側から見た上枠部材及び横枠部材の連結部分を略示する部分分解斜視図である。
【図３２】背面側からみた上枠部材及び横枠部材の連結部分を略示する部分斜視図である。
【図３３】上枠部材及び横枠部材の連結部分を略示する部分背面図である。
【図３４】突出部及び切欠を略示する部分断面図である。
【図３５】正面側から見た上枠部材及び横枠部材の連結部分を略示する部分分解正面図である。
【図３６】正面側から見た上枠部材及び横枠部材の連結部分を略示する部分正面図である。
【図３７】実施の形態９に係るテレビジョン受信機の一構成例を示す正面図である。
【図３８】実施の形態９に係るテレビジョン受信機の一構成例を示す背面図である。
【図３９】テレビジョン受信機の一構成例を示す分解斜視図である。
【図４０】テレビジョン受信機の下側部分の要部を示した部分拡大側面図である。
【図４１】テレビジョン受信機の下側部分の要部を示した部分拡大側面図である。
【発明を実施するための形態】
【００４９】
本発明に係る一実施例の液晶表示装置又は表示装置は、テレビジョン受信機、電子黒板、チューナに接続して使用されるモニタ、コンピュータに接続して使用されるモニタ及びデジタルサイネージに利用されるディスプレイを含む。また、本発明に係る一実施例の液晶表示装置又は表示装置は、タブレット型コンピュータ及び携帯電話に利用されるディスプレイを含む。以下では、液晶表示装置又は表示装置の一例として、テレビジョン受信機を実施の形態に関する図面に基づいて説明する。
【００５０】
（実施の形態１）
図１は、テレビジョン受信機１の正面図である。図２は、テレビジョン受信機１の背面図である。ここで、テレビジョン受信機１が画像を表示する画面２１に対して視聴者が正対した場合、画面２１から視聴者側を前側、その反対を後側とする。画面２１は、横長の略矩形である。視聴者から画面２１に向かって、画面２１の長辺方向右側をテレビジョン受信機１の右側、画面２１の長辺方向左側をテレビジョン受信機１の左側とする。縦姿勢の画面２１において、画面２１の短辺方向上側をテレビジョン受信機１の上側、画面２１の短辺方向下側をテレビジョン受信機１の下側とする。
【００５１】
テレビジョン受信機１は、液晶パネル２、バックライトシャーシ（バックライト収容体）３及び枠体４を含む。液晶パネル２は、前側に画面２１を有し、画面２１に画像を表示する。バックライトシャーシ３は、テレビジョン受信機１の内部部品（図４参照）を組み付ける箱型の台であり、テレビジョン受信機１の後側を覆うバックキャビネットの役割を兼ねている。バックライトシャーシ３は、例えば鉄、アルミニウム又は銅からなり、プレス加工により形成される。
【００５２】
バックライトシャーシ３は、４本のカシメボス３１を含む。カシメボス３１は、テレビジョン受信機１を壁に設置する場合に利用される部材である。カシメボス３１は、バックライトシャーシ３の後面における略中央に、プレス成型により例えばセルフクリンチングファスナーとして設けられている。各カシメボス３１を結んだ形状は、矩形状をなす。
【００５３】
枠体４は、横長の矩形状をなし、テレビジョン受信機１の前側周縁部と、後側周縁部と、側部とを覆っている。テレビジョン受信機１の液晶パネル２、バックライトシャーシ３及び内部部品は、枠体４により挟持されている。テレビジョン受信機１を正面から見た場合、枠体４は画面２１の周囲を縁取る額縁の役割を兼ねている。枠体４の素材は、例えばアルミニウム、合成樹脂又は炭素繊維強化プラスチック若しくはガラス繊維強化プラスチック等の複合素材である。
【００５４】
テレビジョン受信機１は、電源基板Ｐ、受信部Ｔ、液晶駆動基板Ｄ及び基板カバー５を含む（図２）。電源基板Ｐ及び受信部Ｔは、バックライトシャーシ３の後面下部に配置され、略矩形の基板カバー５で覆われている。電源基板Ｐは、テレビジョン受信機１の各構成部に電力を供給する。受信部Ｔは、テレビジョン放送に関する画像信号を受信する。
【００５５】
液晶駆動基板Ｄは、例えば８つあり、各基板はバックライトシャーシ３の前側下端部に直線状に配置されている。液晶駆動基板Ｄは、枠体４の下部後面により覆われている。電源基板Ｐ及び受信部Ｔ等と、液晶駆動基板Ｄとは、フレキシブル基板Ｆ上に実装された配線で接続されている。
【００５６】
図３は、テレビジョン受信機１の右側面図である。バックライトシャーシ３及び枠体４が外部に露出する筐体を兼ねることにより、テレビジョン受信機１は、これまでにない薄型化を実現している。
【００５７】
図４は、テレビジョン受信機１の分解斜視図である。図４は、テレビジョン受信機１の構成部品を右斜め下から見た様子を示している。テレビジョン受信機１は、バックライトシャーシ３、反射シート６、導光板７、ＬＥＤ基板８、光学シート９、遮光ホルダ（遮光枠体）１０、液晶パネル２、パネルカバー（被覆枠体）１１及び枠体４を含む。枠体４は、４つに分割及び合体可能であり、テレビジョン受信機１に取り付けられる前段階では、上枠４１、下枠４４及び２つの側枠４２、４３からなる４つの部材に分かれている。
【００５８】
図５Ａは、バックライトシャーシ３の部分的な斜視図である。図５Ａは、バックライトシャーシ３の右上角部分を前側左斜め下方から見た様子を示している。バックライトシャーシ３は、前面が開口された直方体状の箱又はトレイであり、底板３２及び側板３３を含む。側板３３は、底板３２の各４辺において、例えばプレス成型により前側に曲折されている。
【００５９】
図５Ｂは、枠体４を取り付ける前段階におけるテレビジョン受信機１の部分的な斜視図である。図５Ｂは、テレビジョン受信機１の左上角部分を後側左斜め上方から見た様子を示している。バックライトシャーシ３は、突出部３５を含む。突出部３５は、プレス成型により例えばセルフクリンチングピンとして設けられた円柱状の突起である。図５Ｂにおいて、突出部３５は、バックライトシャーシ３の底面３２後面の左上角部に２つ設けられている。他に突出部３５は、バックライトシャーシ３の底面３２後面の右上角部に２つ設けられている。また、突出部３５は、バックライトシャーシ３の底面３２後面の左側辺下部及び右側辺下部に夫々１つずつ設けられている。すなわち、突出部３５は、底面３２の後面周縁部における合計６カ所に１つずつ設けられている。
【００６０】
ＬＥＤ基板８は、細長い矩形状の板状部材であり、例えば合成樹脂からなる。ＬＥＤ基板８は、バックライトシャーシ３下部の側板３３内面と導光板７の下部側面との間に配置される（図８Ｂ参照）。図４に示すように、ＬＥＤ基板８は、左右対称な２つの基板からなり、夫々導光板７の下部側面の左半分と右半分とに対向するように配置される。
【００６１】
反射シート６、導光板７及びＬＥＤ基板８は、テレビジョン受信機１のバックライトを構成する部品である。導光板７の下部側面と対向する側のＬＥＤ基板８の上には、複数のＬＥＤ８ａが実装されている（図８Ｂ参照）。ＬＥＤ８ａは、ＬＥＤ基板８の長辺方向と略同一方向に略等間隔で配列している。
【００６２】
反射シート６は、バックライトシャーシ３の底板３２に対応した略矩形をなす。反射シート６は、例えば高反射率を有する合成樹脂からなる。反射シート６は、導光板７から後側に出射された光を有効利用するために、当該光を前側に反射する。
【００６３】
導光板７は、矩形状の前面及び後面を有する平板であり、例えばアクリルからなる。導光板７の大きさは、光学シート９及び液晶パネル２の大きさと略同一である。導光板７は、自身の下部側面に対して対向配置されたＬＥＤ８ａからの入光を内部で拡散し、かつ拡散した光を前面から光学シート９及び液晶パネル２に出射する。
【００６４】
光学シート９は、略矩形のシートである。光学シート９の大きさは、導光板７の前面の大きさと略同一であるが、より正確には導光板７の前面よりも僅かに小さい。光学シート９は、例えば１枚の反射偏光シート、１枚の拡散シート及び２枚のプリズムシートを含む。反射偏光シートは、例えば屈折率の互いに異なる層を交互に積層した多層構造を有し、指向性が高められた光をｐｓ分離すると共にｐ波だけを透過させ、ｓ波を選択的に反射する。拡散シートは、光を拡散する。プリズムシートは、隣接して配列された複数のレンズを有し、光の進行方向を制御する。なお、光学シート９は、良好な表示性能が得られるように、視角の範囲を拡大する視野角拡大シートを含んでもよい。
【００６５】
図６は、遮光ホルダ１０の部分的な斜視図である。図６は、遮光ホルダ１０の左下角部分を前側左斜め上方から見た様子を示している。図４に示すように、遮光ホルダ１０は、直線状の上枠１０１、２つの側枠１０２、１０３及び下枠１０４からなり、テレビジョン受信機１を組み立てる場合、矩形状の枠に合体される。図６では、前側から見て左側の側枠１０２と、下枠１０４とが合体した様子が部分的に示されている。
【００６６】
遮光ホルダ１０は、導光板７から出射された光がテレビジョン受信機１の外部に漏れることを防止する矩形状の枠である。遮光ホルダ１０の素材は、例えば合成樹脂である。遮光ホルダ１０は、前壁１０５及び側壁１０６を含む。前壁１０５は、導光板７の前側周縁部を覆う平板状部材である。前壁１０５の厚さは、光学シート９の厚さと略同一である。側壁１０６は、バックライトシャーシ３の側板３３の外面又は内面に当接する平板状部材であり、前壁１０５の外周縁から後側に屈曲又は湾曲している。遮光ホルダ１０の断面形状は、略Ｌ字である。
【００６７】
なお、図６において、遮光ホルダ１０の下枠１０４における前壁１０５に見える切欠き１０７は、駆動回路Ｄと液晶パネル２とを接続するフレキシブル基板（図示せず）を挿通させるために設けられている。また、図６において、遮光ホルダ１０の側枠１０２下部に見える突起１０８は、例えば図５Ａに示したバックライトシャーシ３の角部付近に見える開口３４に嵌合する部分である。突起１０８が開口３４に嵌合することにより、遮光ホルダ１０は、バックライトシャーシ３に係止される。遮光ホルダ１０の突起１０８及びバックライトシャーシ３の開口３４は、夫々遮光ホルダ１０及びバックライトシャーシ３の左右両側部における上端付近と下端付近とに夫々１つずつ設けられている。
【００６８】
パネルカバー１１は、液晶パネル２の前面周縁部を覆う矩形状の枠体である（図４）。パネルカバー１１の素材は、例えば合成樹脂である。枠体４がバックライトシャーシ３、反射シート６、導光板７、光学シート９及び液晶パネル２を挟持するように、枠体４をバックライトシャーシ３等に取り付ける場合、分割された直線状の枠体４を後述するように液晶パネル２の周方向にスライド移動させる。かかる場合、パネルカバー１１は、枠体４のスライド移動により液晶パネル２に傷が付かないように、液晶パネル２を保護する機能を有している。
【００６９】
枠体４は、上枠４１、２つの側枠４２、４３及び下枠４４を含む（図４）。上枠４１、側枠４２、４３及び下枠４４は、夫々例えば押出により成形される概ね細長い直線状の枠部材である。上枠４１は、枠体４の上部を構成する枠部材である。側枠４２、４３は、枠体４の側部を構成する枠部材である。下枠４４は、枠体４の下部を構成する枠部材である。テレビジョン受信機１を組み立てる際、上枠４１、側枠４２、４３及び下枠４４は、後述するように、テレビジョン受信機１を縁取る枠として合体するように構成されている。枠体４の断面形状は、内側に向かって開いたコの字状である（図５Ｂ）。
【００７０】
次に、テレビジョン受信機１の組み立て方法について、簡単に述べる。テレビジョン受信機１を組み立てるために、バックライトシャーシ３の内底面上に、後側から前側に向かって、反射シート６、導光板７、光学シート９、遮光ホルダ１０、液晶パネル２及びパネルカバー１１を順次積層する。そして、上枠４１、２つの側枠４２、４３及び下枠４４で、反射シート６等が積層されたバックライトシャーシ３〜パネルカバー１１を挟み込む。
【００７１】
図７は、バックライトシャーシ３等に枠体４を取り付ける方法を示す説明図である。図７は、バックライトシャーシ３等に上枠４１、側枠４２、４３及び下枠４４を取り付ける様子を後側から示している。図７において、バックライトシャーシ３の後面に設けられたカシメボス３１等は省略されている。図７における矢印は、上枠４１、側枠４２、４３、及び下枠４４夫々をバックライトシャーシ３等に取り付ける場合の移動方向を示している。ただし、ねじＮに添えられた矢印は、ねじＮの挿入方向を示している。
【００７２】
上枠４１及び２つの側枠４２、４３には、夫々バックライトシャーシ３の突出部３５が嵌合する溝部４１５、４２５、４３５が設けられている。上枠４１及び２つの側枠４２、４３でバックライトシャーシ３等を挟み込む際、突出部３５に溝部４１５、４２５、４３５を嵌合させることにより、上枠４１及び２つの側枠４２、４３をバックライトシャーシ３に固定する。そして、溝部４１５、４２５、４３５に突出部３５が嵌合した状態で、上枠４１及び２つの側枠４２、４３をバックライトシャーシ３の周方向と略平行な方向にスライド移動する。これにより、上枠４１及び２つの側枠４２、４３は合体される。
【００７３】
下枠４４でバックライトシャーシ３等を挟み込む。これにより、枠体４は合体した状態になる。この状態では、テレビジョン受信機１の構成部材は仮固定された状態である。最後に、下枠４４の下方から挿入された例えば４本のねじＮの締結により、テレビジョン受信機１の構成部材は、本固定される。
【００７４】
図８Ａ、図８Ｂ、図８Ｃ及び図８Ｄは、テレビジョン受信機１の部分的な断面図である。図８Ａは、テレビジョン受信機１上部の側面断面図である。図８Ｂは、テレビジョン受信機１下部の側面断面図である。図８Ａ及び図８Ｂにおいて、左方はテレビジョン受信機１の前側に、右方はテレビジョン受信機１の後側に対応する。図８Ｃは、テレビジョン受信機１の左側部における上面断面図である。図８Ｄは、テレビジョン受信機１の右側部における上面断面図である。図８Ｃ及び図８Ｄにおいて、下方はテレビジョン受信機１の前側に、上方はテレビジョン受信機１の後側に対応する。
【００７５】
遮光ホルダ１０の下枠１０４における側壁１０６は、バックライトシャーシ３の側板３３の外面に当接している（図８Ｂ）。遮光ホルダ１０の上枠１０１及び２つの側枠１０２、１０３における側壁１０６は、バックライトシャーシ３の側板３３の内面に当接している（図８Ａ、図８Ｃ、図８Ｄ）。遮光ホルダ１０の断面において、略Ｌ字状の角部は、バックライトシャーシ３の側板３３における前側先端付近に位置する。
【００７６】
既述したように、遮光ホルダ１０における前壁１０５の厚さは、光学シート９の厚さと略同一である。また、光学シート９の大きさは、導光板７の前面の大きさより僅かに小さい。光学シート９により覆われていない導光板７の前面周縁部は、遮光ホルダ１０の前壁１０５により覆われている。
【００７７】
遮光ホルダ１０は、導光板７からの光を遮る機能の他に、テレビジョン受信機１が組み立てられて各部品が固定された場合、前壁１０５が導光板７を前側から後側に押圧する機能を有している。また、遮光ホルダ１０は、導光板７及び光学シート９を上下方向に位置決めする機能と、位置決めした上下方向の位置に保持する機能を有している。
【００７８】
図９は、テレビジョン受信機１の部分的な分解斜視図である。図９は、分解されたバックライトシャーシ３、導光板７及び遮光ホルダ１０について、右下角部分を拡大した分解斜視図であり、前側右斜め下からバックライトシャーシ３、導光板７及び遮光ホルダ１０を見た様子を示している。
【００７９】
導光板７は、突出部７１を含む。突出部７１は、図９において導光板７の右側面下部から外側に突出した出っ張りであり、略矩形である。テレビジョン受信機１を組み立てるために、導光板７と光学シート９とを積層した場合、導光板７の突出部７１と重なる光学シート９の位置にも、突出部（図示せず）が設けられている。導光板７の突出部７１及び光学シート９の突出部の大きさ及び形状は、夫々略同一である。図９には、１つの突出部７１が描かれている。しかし、突出部７１は、導光板７の左側面下部にも設けられている。同様に、光学シート９の突出部は、光学シート９の左端下部にも設けられている。
【００８０】
遮光ホルダ１０は、係入切欠き部１０９を含む。係入切欠き部１０９は、切欠き１０７とは別に、遮光ホルダ１０の側枠下部に設けられている。係入切欠き部１０９は、テレビジョン受信機１を組み立てるために、導光板７、光学シート９及び遮光ホルダ１０を積層した場合、導光板７の突出部７１及び光学シート９の突出部を係入するように構成されている。これにより、遮光ホルダ１０の係入切欠き部１０９は、導光板７及び光学シート９を上下方向に位置決めする。図９には、１つの係入切欠き部１０９が描かれている。しかし、係入切欠き部１０９は、遮光ホルダ１０の右側の側枠下部にも設けられている。
【００８１】
導光板７の上に光学シート９を重ねた後に、遮光ホルダ１０を取り付ける場合、導光板７及び光学シート９が正しい位置から上下方向にずれているとする。遮光ホルダ１０の突起１０８をバックライトシャーシ３の開口３４に嵌合させて、遮光ホルダ７をバックライトシャーシ３に係止する。かかる場合、導光板７の突出部７１及び光学シート９の突出部を係入切欠き部１０９に係入させるように、取り付ける遮光ホルダ１０で導光板７及び光学シート９を上下方向に押して導光板７及び光学シート９を正しい位置に移動させる。
【００８２】
上述では、導光板７及び光学シート９をテレビジョン受信機１に組み込んだ後に、遮光ホルダ１０を取り付けた。しかし、光学シート９は、バックライトシャーシ３及び導光板７の周縁部に遮光ホルダ１０を取り付けた後に、導光板７の前面の上に載置されてもよい。かかる場合、光学シート９は、遮光ホルダ１０の係入切欠き部１０９に収まるように、導光板７の上に載置される。そして、光学シート９の突出部が遮光ホルダ１０の係入切欠き部１０９に係入するように、光学シート９は導光板７の上に載置される。
【００８３】
係入切欠き部１０９における横方向の辺は、係入した導光板７の突出部７１及び光学シート９の突出部における横方向と略平行な面と係合する。これにより、遮光ホルダ１０の係入切欠き部１０９は、導光板７及び光学シート９を位置決めした上下方向の位置に保持する。導光板７の下方には、導光板７の下部側面に光を入射するＬＥＤ８ａが実装されたＬＥＤ基板８が配置される。ＬＥＤ８ａと導光板７との距離は、導光板７への入光の均一性に影響を及ぼす要因の１つであり、可能な限り、予め決定された長さに保持される必要がある。この点、遮光ホルダ１０の係入切欠き部１０９は、導光板７を位置決めした上下方向の位置に保持するため、導光板７に照射される入光の均一性に貢献している。
【００８４】
また、遮光ホルダ１０は、テレビジョン受信機１の組み立てに際し、液晶パネル２を上下左右方向に位置決めする機能を有している。液晶パネル２の位置決めは、遮光ホルダ１０における前壁１０５の前側に液晶パネル２を配置するときに行われる。導光板７の前面周縁部を覆っている遮光ホルダ１０の前壁１０５は、外側から内側に向かって後側に落ち込んだ段部を有し、当該段部の角は前側から後側へ向かう傾斜面１１０になっている（図６、図８Ａ、図８Ｂ、図８Ｃ、図８Ｄ）。この遮光ホルダ１０の傾斜面１１０に液晶パネル２の周端部を当接させて、遮光ホルダ１０の開口部を閉鎖するように液晶パネル２を配置する。かかる場合、遮光ホルダ１０の傾斜面１１０は、液晶パネル２に対して位置ガイドの機能を果たす。
【００８５】
液晶パネル２を定位置に配置した場合、液晶パネル２の下端と遮光ホルダ１０の下枠１０４における前壁１０５の段部とは僅かに離間している（図８Ｂ）。そのため、液晶パネル２の下端と遮光ホルダ１０の下枠１０４における前壁１０５の段部との間には、細長い溝部が生じている。液晶パネル２を定位置に配置した場合、液晶パネル２の側端と遮光ホルダ１０の側枠における前壁１０５の段部とは僅かに離間している（図８Ｃ、図８Ｄ）。そのため、液晶パネル２の側端と遮光ホルダ１０の側枠１０２、１０３における前壁１０５の段部との間には、細長い溝部が生じている。
【００８６】
枠体４と液晶パネル２との間に隙間がある場合、テレビジョン受信機１内部からの光漏れ及び液晶パネル２のガタツキに起因する液晶パネル２の破損が懸念される。そのため、パネルカバー１１は、導光板７から前側に出射された光を遮る遮光部材と、液晶パネル２を保護するスペーサとの機能も有している。なお、パネルカバー１１は、なくてもよい。かかる場合、枠体４の内面に液晶パネル２を保護するクッション部材が設けられていればよい。
【００８７】
上述したように、パネルカバー１１は、導光板７から前側に出射された光を遮る機能を有している。そのため、遮光ホルダ１０が導光板７からの光を完全に遮ることができない場合であっても、パネルカバー１１は遮光ホルダ１０の遮光効果を補完する効果を奏する。
【００８８】
パネルカバー１１における下部の断面形状はＴ字状である（図８Ｂ）。パネルカバー１１下部の前側は、Ｔ字の横線に対応する略平坦部を形成している。パネルカバー１１下部の後面には、液晶パネル２の下端と遮光ホルダ１０の段部と間に形成される溝部に遊嵌可能なリブ１１１が設けられている。リブ１１１は、Ｔ字の縦線に対応する。テレビジョン受信機１を組み立てるために、パネルカバー１１下部を取り付ける場合、パネルカバー１１下部のリブ１１１を液晶パネル２の下端と遮光ホルダ１０における下枠１０４の段部との間の溝部に遊嵌する。リブ１１１が液晶パネル２の周端と遮光ホルダ１０の段部との間の溝部に入り、溝部の空間は減少する。より狭くなった溝部の空間部分が上下方向における液晶パネル２の位置決めの遊びとなり、この狭められた遊びの範囲内に液晶パネル２の位置は規制される。これにより、パネルカバー１１は、液晶パネル２を上下方向に対して、位置決めを補助する機能を有している。
【００８９】
パネルカバー１１の側部の断面形状はＬ字状である（図８Ｃ、図８Ｄ）。パネルカバー１１側部の前側は、Ｌ字の横線に対応する略平坦部を形成している。パネルカバー１１側部の後面には、液晶パネル２の側端と遮光ホルダ１０の段部と間に形成される溝部に遊嵌可能なリブ１１２が設けられている。リブ１１２は、Ｌ字の縦線に対応する。テレビジョン受信機１を組み立てるために、パネルカバー１１側部を取り付ける場合、パネルカバー１１側部のリブ１１２を液晶パネル２の側端と遮光ホルダ１０における側枠１０２、１０３の段部との間の溝部に遊嵌する。リブ１１２が液晶パネル２の側端と遮光ホルダ１０の段部との間の溝部に入り、溝部の空間は減少する。より狭くなった溝部の空間部分が側方向における液晶パネル２の位置決めのための遊びとなり、この狭められた遊びの範囲内に液晶パネル２の位置は規制される。これにより、パネルカバー１１は、液晶パネル２を側方向に対して、位置決めをする補助する機能を有している。
【００９０】
枠体４を構成する上枠４１、側枠４２、４３及び下枠４４は、夫々前側に位置する前壁４１１、４２１、４３１、４４１と、後側に位置する後壁４１２、４２２、４３２、４４２とを有している（図８Ａ、図８Ｂ、図８Ｃ、図８Ｄ）。また、上枠４１、側枠４２、４３及び下枠４４は、前壁４１１等と後壁４１２等との間を構成する側壁４１３、４２３、４３３、４４３を有している（図８Ａ、図８Ｂ、図８Ｃ、図８Ｄ）。
【００９１】
枠体４は、パネルカバー１１の前面及びバックライトシャーシ３における底板３２の後面周縁部に当接し、夫々前側及び後側を押圧することにより、積層されたパネルカバー１１、液晶パネル２、遮光ホルダ１０、光学シート９、導光板７、反射シート６及びバックライトシャーシ３を挟持する（図８Ａ、図８Ｂ、図８Ｃ、図８Ｄ）。
【００９２】
上枠４１、側枠４２、４３における側壁４１３、４２３、４３３の幅は、略同一である。各側壁４１３、４２３、４３３の幅は、前壁４１１等と後壁４１２等の間で挟まれるパネルカバー１１、液晶パネル２、遮光ホルダ１０、光学シート９、導光板７、反射シート６及びバックライトシャーシ３の厚さの合計より少し狭い。そのため、枠体４は、バックライトシャーシ３等を挟持した場合、その弾性反発力により、バックライトシャーシ３等を前後方向に保持する機能を有している。
【００９３】
下枠４４における側枠４４３の幅は、上枠４１、側枠４２、４３における側壁４１３、４２３、４３３の幅よりも広い。下枠４４とバックライトシャーシ３との間に液晶駆動基板Ｄを配置する空間を設けるために、下枠４４における側枠４４３の幅は上枠４１、側枠４２、４３における側壁４１３、４２３、４３３の幅よりも広めに設定されている。
【００９４】
上枠４１における前壁４１１及び後壁４１２の幅は、略同一である（図８Ａ）。しかし、側枠４２、４３及び下枠４４夫々における前壁４２１、４３１の幅は、後壁４２２、４３２の幅よりも広い（図８Ｃ、図８Ｄ）。他方、下枠４４における後壁４４２の幅は、前壁４４１の幅よりも広い（図８Ｂ）。下枠４４の断面形状は、Ｊ字状である。特に、下枠４４の後壁４４２の幅は、他の後壁４１２、４２２、４３２の幅よりも際立って広い（図２参照）。後壁４４２は、バックライトシャーシ３下部の後側に配置される液晶駆動基板Ｄを覆うため、その幅が広めに設定されている。すなわち、下枠４４の後壁４４２は、後側に配置された液晶駆動基板Ｄを覆うバックキャビネットの機能も有している。
【００９５】
上枠４１及び側枠４２、４３は、規制リブ４１４、４２４、４３４を含む。規制リブ４１４、４２４、４３４は、前壁４１１、４２１、４３１における後面から後側に突出し、上枠４１及び側枠４２、４３の長手方向に延設された突出部である。バックライトシャーシ３等に枠体４を取り付けた場合、規制リブ４１４、４２４、４３４の内側面は、パネルカバー１１の外側面と僅かな隙間を隔てて対向する位置に配置される（図８Ａ、図８Ｃ、図８Ｄ）。これにより、規制リブ４１４、４２４、４３４は、パネルカバー１１が規制リブ４１４、４２４、４３４よりも外側に移動することを規制している。
【００９６】
バックライトシャーシ３等に枠体４を取り付けた場合、規制リブ４１４、４２４、４３４の後側先端面は、遮光ホルダ１０の前側先端面と僅かな隙間を隔てて対向する位置に配置される（図８Ａ、図８Ｃ、図８Ｄ）。これにより、規制リブ４１４、４２４、４３４は、遮光ホルダ１０が規制リブ４１４、４２４、４３４よりも前側に移動することを規制している。
【００９７】
上枠４１及び側枠４２、４３は、溝部４１５、４２５、４３５を含む（図８Ａ、図８Ｃ、図８Ｄ）。溝部４１５、４２５、４３５は、夫々後壁４１２、４２２、４３２の前面に、上枠４１及び側枠４２、４３の長手方向に沿って後壁４１２、４２２、４３２の幅方向における略中央に削成されている。溝部４１５、４２５、４３５は、夫々上枠４１及び側枠４２、４３の両端部に１つずつ、合計６つ削成されている。
【００９８】
枠体４は、自身に設けられた凹部とバックライトシャーシ３に設けられた凸部とが嵌合することにより、バックライトシャーシ３に固定される。突出部３５が当該凸部に対応し、溝部４１５、４２５、４３５は当該凹部に対応する。溝部４１５、４２５、４３５の幅は、突出部３５の径よりも僅かに小さい。そのため、上枠４１及び側枠４２、４３で積層されたバックライトシャーシ３等を挟み込んだ場合、突出部３５は溝部４１５、４２５、４３５に嵌合し、上枠４１及び側枠４２、４３は、バックライトシャーシ３に固定される。更に、上枠４１及び側枠４２、４３を、溝部４１５、４２５、４３５に嵌合した状態を保ちながら、溝部４１５の長手方向に摺動させて、上枠４１及び側枠４２、４３を取り付けの定位置までスライド移動させる（図７）。上枠４１及び側枠４２、４３がテレビジョン受信機１を組み立てるための定位置までスライド移動した場合、それ以上上枠４１及び側枠４２、４３がスライド移動できないように、溝部４１５、４２５、４３５の長さは決められている。
【００９９】
図１０Ａ、図１０Ｂ及び図１０Ｃは、テレビジョン受信機１の部分的な断面図である。図１０Ａは、テレビジョン受信機１上部の側面断面図である。図１０Ａにおいて、左方はテレビジョン受信機１の前側に、右方はテレビジョン受信機１の後側に対応する。図１０Ｂは、テレビジョン受信機１の左側部における上面断面図である。図１０Ｃは、テレビジョン受信機１の右側部における上面断面図である。図１０Ｂ及び図１０Ｃにおいて、下方はテレビジョン受信機１の前側に、上方はテレビジョン受信機１の後側に対応する。図１０Ａ、図１０Ｂ及び図１０Ｃは、スライド移動により定位置に移動した上枠４１、側枠４２、４３の突出部３５を切断する断面図である。他方、図８Ａ、図８Ｃ及び図８Ｄは、スライド移動により突出部３５が通過した後の溝部４１５、４２５、４３５を切断する断面図である。
【０１００】
図１１は、テレビジョン受信機１の部分的な断面図である。図１１は、テレビジョン受信機１下部の側面断面図である。図１１において、左方はテレビジョン受信機１の前側に、右方はテレビジョン受信機１の後側に対応する。下枠４４の側壁４４３には、ねじ挿通穴４４３１が設けられている。ねじ挿通穴４４３１は、例えば側壁４４３の両端部に１つずつ、また略中央に２つ、合計４つ設けられている。また、遮光ホルダ１０の側壁１０６及びバックライトシャーシ３の側板３３にも、ねじ挿通穴４４３１と重なる位置に、夫々ねじ挿通穴１０６１、３３１が設けられている（図９参照）。更に、ＬＥＤ基板８に、ねじ挿通穴４４３１、１０２１、３３１と重なる位置に、ねじ穴８１が設けられている。ねじ挿通穴４４３１、１０２１、３３１に下側からねじＮを挿入し、挿入したねじＮはねじ穴８１に螺合される。これにより、バックライトシャーシ３等に対して仮固定された枠体４は、バックライトシャーシ３等に対して本固定される。
【０１０１】
上枠４１は、ほぞ穴４１６を含む（図５Ｂ、図７）。側枠４２、４３は、ほぞ４２６、４３６を含む（図５Ｂ、図７）。ほぞ穴４１６は、上枠４１における後壁４１２の両端部の下辺に開口を有するように設けられている。ほぞは、側枠４２、４３における後壁４２２、４３２の上端部から上方に向かって突設されている。
【０１０２】
枠体４は、ほぞ組構造により継ぎ合わされる。上枠４１の両端部及び側枠４２、４３の上端部が突き合わさる枠体４の角部において、側枠４２、４３のほぞ４２６、４２３が上枠４１のほぞ穴４１６に下から上へ向かって嵌合することにより、上枠４１及び側枠４２、４３は接合する。
【０１０３】
枠体４のほぞ組構造は、枠体４の後側に設けられている。これにより、前側の画面２１に表示される画像を見る視聴者にとって、枠体４の継目は見えず、テレビジョン受信機１のデザイン性が損なわれることはない。なお、ほぞ組構造は、枠体４の前側又は側面に設けられてもよい。あるいは、ほぞ組構造は、枠体４の内部に設けられてもよい。
【０１０４】
バックライトシャーシ３等に枠体４を取り付ける場合、バックライトシャーシ３等の外側から内側に向かって上枠４１、側枠４２、４３及び下枠４４を接近させる。バックライトシャーシ３等を略コの字に開いた前壁４１１、４２１、４３１、４４１及び後壁４１２、４２２、４３２、４４２の間に挟み込み、上枠４１、側枠４２、４３及び下枠４４を内側に押圧する。そして、上枠４１及び側枠４２、４３を夫々自身の長手方向（図７の矢印方向）にスライド移動させて、上枠４１、側枠４２、４３をほぞ組構造により継ぎ合わせる。
【０１０５】
その際、上枠４１、側枠４２、４３及び下枠４４の順に、枠体４を構成するこれらの部材をバックライトシャーシ３等に取り付けていく。最初に、上枠４１を取り付ける。その際、バックライトシャーシ３の突出部３５を溝部４１５に嵌合させた状態で、スライド移動する。次に、側枠４２、４３を取り付ける。側枠４２、４３の取り付け順序は、正面から見て右側の側枠４２と、左側の側枠４３とのどちらを先にしてもよい。側枠４２、４３を取り付ける場合のスライド方向は、下から上に向かう方向である。側枠４２、４３を上方へスライド移動させて、ほぞ４２６、４２３をほぞ穴４１６に嵌合する。
【０１０６】
下枠４４を取り付ける。下枠４４でバックライトシャーシ３等の下部を下方から挟み込む。側枠４２、４３の下端には、Ｌ字アングル状の延出部（図示せず）が設けられている下方からバックライトシャーシ３等を挟み込む下枠４４の内側には、当該延出部が係合可能な段部（図示せず）が設けられている。側枠４２、４３の延出部が下枠４４の段部に嵌合することにより、下枠４４は側枠４２、４３と係合する。なお、上記延出部及び段部は、なくてもよい。
【０１０７】
この状態で、上枠４１、側枠４２、４３及び下枠４４は合体し、テレビジョン受信機１を構成する各部材の仮固定が終了する。最後に、下枠４４のねじ挿通穴４４３１から遮光ホルダ１０のねじ挿通穴１０６１を介してバックライトシャーシ３のねじ挿通穴３３１までねじＮを挿通する。そして、挿通したねじＮをＬＥＤ基板８のねじ穴８１に螺合し、下枠４４、遮光ホルダ１０、バックライトシャーシ３及びＬＥＤ基板８を締結する。これにより、テレビジョン受信機１を構成する各部材の本固定が終了する。なお、ねじＮの本数は、テレビジョン受信機１に求められる強度に応じて、４本から増減されてもよい。
【０１０８】
上述では、枠体４の下部にほぞ構造は設けられていなかった。しかし、側枠４２の下端部にもほぞを設けてもよい。かかる場合、下枠４２の両端部にほぞ穴を設ける。上述では、ほぞ穴４１６とほぞ４２６、４３６とは、夫々上枠４１と側枠４２、４３とに設けられていた。しかし、上枠４１及び側枠４２、４３におけるほぞ構造の凸凹関係は、逆でもよい。すわなち、上枠４１の両端部にほぞを設け、側枠４２、４３の上端部にほぞ穴が設けられてもよい。
【０１０９】
上述では、ほぞ構造は、上下方向に嵌合するほぞ穴４１６とほぞ４２６、４３６とであった。しかし、ほぞ構造は横方向に嵌合するほぞ穴とほぞであってもよい。例えば、テレビジョン受信機１の後側から見て左側の側枠４３の上部に、右方に開口を有するほぞ穴を設ける。テレビジョン受信機１の後側から見て上枠４１の左端部に当該ほぞ穴に嵌合するほぞを設ける。枠体４を組む場合、テレビジョン受信機１の後側から見て右側の側壁４３をまず取り付け、次に上枠４１を取り付ける。上枠４１のスライド移動方向は、テレビジョン受信機１の後側から見て右から左へ向かう方向に設定する。そして、テレビジョン受信機１の後側から見て右側の枠体４２を取り付ける。枠体４２を上方にスライド移動して、上枠４１のほぞ穴４１６に側枠４２のほぞ４２６を嵌合させる。なお、枠体４の継目に対応する４つの角部のうち、１つ、２つ又は３つの任意の角部にのみ、ほぞ組構造が採用されてよい。枠体４の継目に対応する４つの角部の全てに、ほぞ組構造が採用されてもよいことは勿論である。
【０１１０】
本固定後の枠体４は、ほぞ組構造により隙間なく組み合わされる。また、枠体４は、溝部４１５、４２５、４３５と突出部３５との嵌合により、バックライトシャーシ３に対して、上下方向及び左右方向に保持される。パネルカバー１１、液晶パネル２、遮光ホルダ１０、光学シート９、導光板７、反射シート６及びバックライトシャーシ３は、枠体４に挟持される。これらの部材の間に挟まれるパネルカバー１１及び遮光ホルダ１０は、他の部材との間でモザイクのように噛み合い、これらの部材の結合をより強固なものにする。
なお、枠体４は、テレビジョン受信機１の内部部品を完全に外部と遮断しているため、光漏れを防止する効果も奏する。
【０１１１】
次に、テレビジョン受信機１の組み立て方法について、詳細に説明する。図１２Ａ、図１２Ｂ、図１２Ｃ、図１２Ｄ、図１２Ｅ、図１２Ｆ、図１２Ｇ、図１２Ｈ、図１２Ｉ及び図１２Ｊは、テレビジョン受信機１を組み立てる手順を説明する説明図である。図１２Ａから図１２Ｇまでは、反射シート６等を箱状のバックライトシャーシ３の内部に積層する手順を示している。図１２Ｈから図１２Ｊまでは、枠体４の取り付け手順を示している。図１２Ａ〜図１２Ｊにおいて、上方はテレビジョン受信機１の前側を示し、下方はテレビジョン受信機１の後側を示している。図１２Ａ〜図１２Ｇにおいて、左方はテレビジョン受信機１の下側を示している。図１２Ｈ及び図１２Ｊにおいて、左方はテレビジョン受信機１の上側を示している。図１２Ｉにおいて、左方は後側から見たテレビジョン受信機１の左側を示している。
【０１１２】
最初に、バックライトシャーシ３の開口面を上方に向けて、バックライトシャーシ３を略水平な台の上に載置する。台に載置したバックライトシャーシ３下部の側板３３内面に、ＬＥＤ８ａが予め搭載されたＬＥＤ基板８を、ＬＥＤ８ａが搭載された側の面が内側を向くように、例えば両面テープで貼設する（図１２Ａ）。なお、バックライトシャーシ３の底板３２は、ＬＥＤ基板８が取り付けられる位置に対応する部分が側板３３に沿って後側に窪んでいる。そのため、作業者は、ＬＥＤ基板８の取り付け位置を容易に認識することができる。これと同時に、作業者はこれから組み立てていくテレビジョン受信機１における下側の方向を認識する。
【０１１３】
次に、バックライトシャーシ３の底板３２における内面上に反射シート６を、例えば両面テープで取り付ける（図１２Ｂ）。あるいは、両面テープを用いずに、反射シート６をバックライトシャーシ３の底板３２における内面上に乗せる。反射シート６の形状はバックライトシャーシ３における底板３２内面の形状と略同一の矩形状であり、反射シート６の各辺がバックライトシャーシ３の各辺と略平行になるように、反射シート６を取り付ける。
【０１１４】
反射シート６の上に導光板７を重ねる（図１２Ｃ）。バックライトシャーシ３に遮光ホルダ１０を取り付ける（図１２Ｄ）。その際、バックライトシャーシ３の下部では、遮光ホルダ１０の側壁１０６がバックライトシャーシ３の側板３３の外面を覆うように、バックライトシャーシ３に遮光ホルダ１０を取り付ける（図８Ｂ）。他方、バックライトシャーシ３の上部及び側部では、遮光ホルダ１０の側壁１０６がバックライトシャーシ３の側板３３の内面を覆うように、バックライトシャーシ３に遮光ホルダ１０を取り付ける（図８Ａ、図８Ｃ、図８Ｄ）。
【０１１５】
遮光ホルダ１０の突起１０８をバックライトシャーシ３の開口３４に係合させる。また、導光板７の突出部７１が遮光ホルダ１０の係入切欠き部１０９に係入するように、遮光ホルダ１０を取り付ける（図９）。こうして、側板３３の周に沿って取り付けられた遮光ホルダ１０の前壁１０５は、導光板７の前面周縁部を覆うように配置される。
【０１１６】
光学シート９を遮光ホルダ１０で縁取られた導光板７の前面の上に重ねる（図１２Ｅ）。その際、光学シート９の突出部が遮光ホルダ１０の係入切欠き部１０９に係入するように、光学シート９を導光板７の前面の上に重ねる。なお、上述では、遮光ホルダ１０を取り付けてから光学シート９を導光板７の上に重ねたが、光学シート９を導光板７の上に重ねてから遮光ホルダ１０を取り付けてもよい。後者の場合、遮光ホルダ１０の係入切欠き部１０９に導光板７の突出部７１と光学シート９の突出部とが係入するようにする。
【０１１７】
液晶パネル２の形状は、遮光ホルダ１０における開口の形状と略同一であるが、液晶パネル２の大きさは、遮光ホルダ１０における開口の大きさよりも、僅かに小さい。液晶パネル２における後面の周端を遮光ホルダ１０の傾斜面１１０に当接させて、液晶パネル２の方位を固定する。傾斜面１１０のガイドに応じて、液晶パネル２を光学シート９の上に重ねる（図１２Ｆ）。液晶パネル２の側面には、幾つかのフレキシブル基板（図示せず）が接合されている。当該フレキシブル基板を遮光ホルダ１０に設けた切欠き１０７から外側に挿通させる（図６）。液晶パネル２の取り付けが終了した段階では、液晶パネル２とその周囲の遮光ホルダ１０との間には、前側に開口を有する細長い溝部が生じている。
【０１１８】
液晶パネル２の前面周縁部を覆うように、パネルカバー１１を取り付ける（図１２Ｇ）。その際、液晶パネル２と遮光ホルダ１０との間の溝部を埋めるように、パネルカバー１１のリブ１１１、１１２を当該溝部に遊嵌させる（図８Ｂ、図８Ｃ、図８Ｄ）。これにより、液晶パネル２と遮光ホルダ１０との間の隙間は極めて狭くなる。また仮に、液晶パネル２が定位置からずれて取り付けられている場合、パネルカバー１１を取り付けることにより、液晶パネル２はリブ１１１、１１２から押圧されて、定位置に移動する。
【０１１９】
バックライトシャーシ３の底板３２における内面上に積層された反射シート６、導光板７、光学シート９、遮光ホルダ１０、液晶パネル２及びパネルカバー１１を、バックライトシャーシ３を含めて、上枠４１で挟み込む（図１２Ｈ）。その際、上枠４１の後壁４１２における内面に設けられた溝部４１５にバックライトシャーシ３の底板３２における後面に設けられた突出部３５を嵌合させる。突出部３５を溝部４１５に嵌合させた状態を保持しつつ、上枠４１を例えばバックライトシャーシ３又は液晶パネル２の長辺方向にスライド移動する。突出部３５が溝部４１５の端に達するまで上枠４１をスライド移動した場合、上枠４１は定位置に位置決めされる。従って、上枠４１でバックライトシャーシ３等を挟み込む位置は、挟み込んだ後にスライド移動する距離だけ予めスライド方向と逆方向にシフトした位置である。なお、上枠４１をスライド移動する方向は、テレビジョン受信機１を前側から見て、左から右の方向でもよいし、右から左の方向でもよい。いずれかのスライド方向に応じて、溝部４１５及び突出部３５の配置を決定しておく。
【０１２０】
次に、側枠４２、４３について、上枠４１と同様に、挟み込みとスライド移動とを行なう（図１２Ｉ）。その際、右側の側枠４２と左側の側枠４３との取り付け順序は、いずれが先でも後でもよい。側枠４２、４３をバックライトシャーシ３又は液晶パネル２の短辺方向に略平行、かつ上枠４１に接近する方向にスライド移動する。側枠４２、４３の上端に設けられたほぞ４２６、４３６を、夫々上枠４１の両端部に設けられたほぞ穴４１６に嵌合させる。
【０１２１】
下枠４４でバックライトシャーシ３等を挟み込む（図１２Ｊ）。下枠４４でバックライトシャーシ３等を挟み込むために、下枠４４のねじ挿通穴４４３１と遮光ホルダ１０のねじ挿通穴１０６１とが重なる位置に下枠４４を位置合わせする（図１１参照）。そして、下枠４４をバックライトシャーシ３又は液晶パネル２の短辺方向と略平行な方向に押圧する。この状態で、枠体４及び枠体４に挟持されているバックライトシャーシ３等は、仮固定される。
【０１２２】
ねじＮを４つのねじ挿通穴４４３１夫々に刺し、刺した各ねじＮを遮光ホルダ１０のねじ挿通穴１０６１及びバックライトシャーシ３のねじ挿通穴３３１まで挿通する。ねじＮ夫々をＬＥＤ基板８のねじ穴８１に締結して、枠体４及び枠体４に挟持されているバックライトシャーシ３等を本固定する（図７）。
【０１２３】
実施の形態１では、テレビジョン受信機１は、下枠４４のねじ挿通穴４４３１から上方に挿通するねじＮで本固定された。しかし、テレビジョン受信機１は、他の形態に係るねじＮの締結により固定されてもよい。図１３Ａ及び図１３Ｂは、下枠４４をバックライトシャーシ３に固定する方法を示す説明図である。図１３Ａは、テレビジョン受信機１の後面を後側斜め右下から見た斜視図である。図１３Ａにおいて、略等間隔に配置された３本のねじＮが下枠４４の後壁４４２に刺されている。なお、図１３Ａの例では、図２においてテレビジョン受信機１の後面に見えるフレキシブル基板Ｆは、下方に延設された基板カバー５で覆われている。
【０１２４】
図１３Ｂは、テレビジョン受信機１の部分的な側面断面図である。図１３Ｂにおいて、上方はテレビジョン受信機１の上側であり、左方はテレビジョン受信機１の前側である。バックライトシャーシ３における底板３２後面の下部には、ボス３６が立設されている。ボス３６と対向する下枠４４の後壁４４２には、ねじ挿通穴４４３１が設けられている。ねじＮは、ねじ挿通穴４４３１を後側から挿通し、ボス３６の中心に設けられたねじ穴に螺合している。ボス３６及びねじ挿通穴４４３１は、テレビジョン受信機１の強度を高めるために、例えばバックライトシャーシ３の長辺及び短辺に沿って複数設けられてもよい。下枠４４と接合する側枠４２、４３及び上枠４１は、ほぞ組構造により移動が規制されている。そのため、下枠４４がねじＮでバックライトシャーシ３に強く固定されることにより、テレビジョン受信機１は、本固定される。
【０１２５】
実施の形態１では、テレビジョン受信機１のバックライトはエッジライト方式であった。しかし、テレビジョン受信機１のバックライトが直下型方式でもよいことは勿論である。
【０１２６】
実施の形態１では、枠体４は、自身に設けられた凹部、すなわち溝部４１５、４２５、４３５と、バックライトシャーシ３に設けられた凸部、すなわち突出部３５とが嵌合することにより、バックライトシャーシ３に仮固定された。しかし、この凸凹関係は逆でもよい。つまり、枠体４に凸部が、バックライトシャーシ３に凹部が設けられてもよい。上枠４１、側枠４２、４３又は下枠４４を押出成型で形成する場合、枠体４の凸部は、例えばプレス成型による切り起こし、セルフクリンチングピンを用いたプレス成型あるいは押出加工及び不要部分の切削により形成される。他方、バックライトシャーシ３の凹部は、例えばプレス加工又は削成により形成される。
【０１２７】
実施の形態１では、枠体４の溝部４１５、４２５、４３５は、後壁４１２、４２２、４３２に設けられ、バックライトシャーシ３の突出部３５は、底板３２に設けられていた。しかし、枠体４をバックライトシャーシ３に仮固定する凸凹構造は、テレビジョン受信機１の側部に設けられてもよい。すなわち、枠体４の側壁４１３、４２３、４３３と、バックライトシャーシ３の側板３３とに、嵌合し合う凸凹構造を設けてもよい。
【０１２８】
テレビジョン受信機１によれば、軽量化、薄型化及び狭額縁化を実現することができる。テレビジョン受信機１は、従来のテレビジョン受信機が備えていたフロントキャビネット及びバックキャビネットを排除している。そのため、テレビジョン受信機１は、フロントキャビネット及びバックキャビネットの重量及び容積の分だけ、軽量化、薄型化及び狭額縁化を促進している。
【０１２９】
テレビジョン受信機１によれば、バックライトシャーシ３及び枠体４が全体の強度を担保している。従来、薄型のテレビジョン受信機が備えていたフロントキャビネットは、テレビジョン受信機の前面周縁部及び側面を覆う筐体であり、その断面形状はＬ字状である。他方、テレビジョン受信機１は、フロントキャビネットを備えず、枠体４が筐体の役割の一部を担っている。枠体４の断面形状はコの字状であり、フロントキャビネットが有していない後壁４１２、４２２、４３２、４４２を有している。そのため、枠体４の断面２次モーメントは、従来のフロントキャビネットの断面２次モーメントよりも大きい。従って、枠体４の剛性は、フロントキャビネットの剛性よりも高い。これにより、テレビジョン受信機１は、軽量化、薄型化及び狭額縁化を実現しながらも、大きな強度を保持している。
【０１３０】
テレビジョン受信機１によれば、部品点数を削減し、組み立て効率を向上させることができる。従来のテレビジョン受信機においては、筐体の強度を担保するために、筐体の角部にＬ字型アングル等の連結部材と、多数のねじが使用されていた。しかし、テレビジョン受信機１は、バックライトシャーシ３及び枠体４に設けられた凸凹部分の嵌合と、上枠４１及び２つの側枠４２、４３をスライド移動により嵌合させるほぞ組構造とにより仮固定される。ほぞ組構造は、上枠４１と２つの側枠４２、４３との間における隙間を詰めてガタツキをなくす。そして、枠体４とバックライトシャーシ３等の積層体とは、下枠４４のみに挿入される４本のねじＮにより本固定される。そのため、テレビジョン受信機１は、筐体の強度を担保するための連結部材及び多数のねじを要しない。こうした、連結部材の排除及び固定部材の削減はテレビジョン受信機１の組み立て工数削減を可能にしている。これにより、テレビジョン受信機１は、組み立て効率及び生産性を向上させている。
【０１３１】
（実施の形態２）
実施の形態１では、テレビジョン受信機１は、バックキャビネットを含まない。しかし、テレビジョン受信機１は、バックキャビネットを含んでもよい。実施の形態２は、テレビジョン受信機１の部材にバックキャビネットを追加する形態に関する。
【０１３２】
図１４は、テレビジョン受信機１の部分的な断面図である。図１４は、テレビジョン受信機１の左側部における上面断面図である。図１４において、下方はテレビジョン受信機１の後側に、上方はテレビジョン受信機１の前側に対応する。図１４では、遮光ホルダ１０及びパネルカバー１１を省略し、単純化を施している。
【０１３３】
テレビジョン受信機１は、バックキャビネット１２を含む。バックキャビネット１２は、例えば合成樹脂からなり、バックライトシャーシ３と同様に、前面が開口された直方体状の箱又はトレイである。バックキャビネット１２は、バックライトシャーシ３の後側に配置し、バックライトシャーシ３を収容可能な程度にバックライトシャーシ３よりも一回り大きい。バックキャビネット１２の内底面上には、後側から前側に向かって反射シート６、導光板７、光学シート９及び液晶パネル２の順にこれらが積層されたバックライトシャーシ３等が配置する。そして、枠体４は、バックキャビネット１２、バックライトシャーシ３、反射シート６、導光板７、光学シート９及び液晶パネル２を挟持している。
【０１３４】
テレビジョン受信機１は、遮光ホルダ１０及びパネルカバー１１を含んでもよいが、図１４に示すように遮光ホルダ１０及びパネルカバー１１を含まなくてもよい。導光板７の側面及び後面は、バックライトシャーシ３及びバックキャビネット１２に覆われていることと、導光板７の前面周縁部から前方に射出される光は、断面がコの字形状の枠体４により遮光されることから、遮光部材は必ずしも要しないからである。
【０１３５】
バックキャビネット１２は、テレビジョン受信機１の美観と強度とを高め、光の漏洩を阻止することができる。なお、バックキャビネット１２は、バックライトシャーシ３の側板３３を覆わずに、バックライトシャーシ３の底板３２だけを覆うものでもよい。かかる場合、テレビジョン受信機１における額縁部分の幅を、図１４における額縁部分の幅よりも、バックキャビネット１２の厚さ分だけ薄くすることができるため、テレビジョン受信機１の狭額縁化に資する。
【０１３６】
実施の形態２は以上の如きであり、その他は実施の形態１と同様であるので、対応する部分には同一の参照番号を付してその詳細な説明を省略する。
【０１３７】
（実施の形態３）
実施の形態３は、枠体４をバックライトシャーシ３に固定するための凸凹構造として、バックライトシャーシ３にＬ字状の開口部を、枠体４に当該開口部に嵌合する突出部を設ける形態に関する。また、枠体４に係る前壁４１１、４２１、４３１の内面に溝部を設け、バックライトシャーシ３の側板３３先端に当該溝部に嵌合する突出部を設ける形態に関する。
【０１３８】
図１５は、枠体４を取り付ける前段階におけるテレビジョン受信機１の部分的な斜視図である。図１５は、テレビジョン受信機１の左上角部分を後側左斜め上方から見た様子を示している。バックライトシャーシ３における底板３２の周縁部には、Ｌ字開口部３７が設けられている。Ｌ字開口部３７は、バックライトシャーシ３を後側から見た場合、その開口面が略Ｌ字形の形状をなす。Ｌ字開口部３７は、底板３２の上部縁における両端付近に１つずつ、左側部縁及び右側部縁夫々の両端付近に１つずつ、例えば合計６カ所に設けられている。図１５は、底板３２に設けられたＬ字開口部３７のうち、２つを示している。
【０１３９】
Ｌ字を構成する棒の一つは、バックライトシャーシ３の周方向と略平行に延びた細長いスリットである。バックライトシャーシ３の底板３２と側板３３とが会合する稜部から当該スリットの一端部分まで矩形状の開口が設けられている。Ｌ字を構成する他の棒は、当該矩形状開口である。矩形状の開口の一部はバックライトシャーシ３の側板３３に及んでいる。スリットと矩形状の開口とが合体された開口全体の形状は、Ｌ字状を呈している。Ｌ字開口部３７において、矩形状の開口からスリットが設けられる方向は、上枠４１及び側枠４２、４３をバックライトシャーシ３等に取り付けるために、上枠４１及び側枠４２、４３をスライド移動する移動方向でもある。
【０１４０】
上枠４１及び側枠４３をバックライトシャーシ３に固定するために、Ｌ字開口部３７と対向する上枠４１及び側枠４３の後壁４１２、４３２には、嵌合突出部４１７、４３７が設けられている。嵌合突出部４１７、４３７は、夫々上枠４１及び側枠４３の長手方向に延びた直方体状をなす。嵌合突出部４１７、４３７の短手方向の幅は、Ｌ字開口部３７のスリットの幅と略同一である。嵌合突出部４１７、４３７の長手方向の長さは、バックライトシャーシ３の周方向におけるＬ字開口部３７の矩形状開口の長さより短い。
【０１４１】
バックライトシャーシ３は、側壁突出部３８を含む（図５Ａ、図１５）。側壁突出部３８は、側板３３の前側先端に設けられた矩形状の突出部であり、側壁突出部３８以外の側板３３の先端部を例えば切削して形成される。
【０１４２】
上枠４１及び側枠４２、４３をバックライトシャーシ３に固定するために、側壁突出部３８と対向する上枠４１及び側枠４２、４３の前壁４１１、４２１、４３１には、側壁嵌合溝部４１８が設けられている。側壁嵌合溝部４１８は、側壁突出部３８が嵌合可能な溝部である。
【０１４３】
上枠４１及び側枠４２、４３をバックライトシャーシ３等に取り付ける場合、上枠４１及び側枠４２、４３でバックライトシャーシ３等を挟み込む。その際、嵌合突出部４１７、４３７は、Ｌ字開口部３７における矩形状の開口部に遊嵌される。その後、上枠４１及び側枠４２、４３をＬ字開口部３７において矩形状の開口部からスリットが設けられている方向にスライド移動させる。これにより、嵌合突出部４１７、４３７は、Ｌ字開口部３７のスリットに嵌合される。また、上枠４１及び側枠４２、４３をスライド移動した場合、側壁突出部３８は側壁嵌合溝部４１８に嵌合される。
【０１４４】
図１６は、図１５のＸＶＩ−ＸＶＩ線における断面図である。なお、図１５では、遮光ホルダ１０及びパネルカバー１１を省略し、単純化している。また、図１６は、上枠４１がテレビジョン受信機１に取り付けられた状態の断面図である。
上枠４１の嵌合突出部４１７は、Ｌ字開口部３７のスリットに嵌合し、バックライトシャーシ３上部の側壁突出部３８は、上枠４１の側壁嵌合溝部４１８に嵌合している。
【０１４５】
更に、側枠４２、４３及び下枠４４が取り付けられた場合、枠体４及びバックライトシャーシ３等は仮固定される。テレビジョン受信機１は、下枠４４とＬＥＤ基板８とがねじＮで強く締結されることにより、本固定される。
【０１４６】
実施の形態３において、Ｌ字開口部３７は、スリットと矩形状の開口とが合体したＬ字形状であった。しかし、Ｌ字開口部３７は、スリットのみのＩ字状であってもよい。また、Ｌ字開口部３７は、矩形状の開口部から一方向に延びるスリットの他に、矩形状の開口部から当該スリットと反対方向に延びるスリットを有したＴ字状でもよい。これにより、上枠４１及び側枠４２、４３をスリット移動させる方向は、直線状の２方向になり、上枠４１及び側枠４２、４３の取り付けに柔軟性を持たせることができる。
【０１４７】
実施の形態３において、嵌合突出部４１７、４３７は後壁４１２、４３２に設けられ、Ｌ字開口部３７はバックライトシャーシ３の底板３２に設けられた。しかし、嵌合突出部４１７、４３７は、枠体４の側壁４１３、４２３、４３３に設けられ、Ｌ字開口部３７はバックライトシャーシ３の側板３３に設けられてもよい。
【０１４８】
テレビジョン受信機１によれば、上枠４１、側枠４２、４３でバックライトシャーシ３等を挟み込む場合、嵌合突出部４１７、４３７はＬ字開口部３７における矩形状の開口に遊嵌されるため、スムーズに上枠４１、側枠４２、４３を挟み込むことができる。その後、上枠４１、側枠４２、４３をスライド移動させることにより、嵌合突出部４１７、４３７及び側壁突出部３８が夫々Ｌ字開口部３７のスリット及び側壁嵌合溝部４１８に嵌合する。これにより、テレビジョン受信機１における仮固定作業の効率が向上する。
【０１４９】
実施の形態３は以上の如きであり、その他は実施の形態１乃至２と同様であるので、対応する部分には同一の参照番号を付してその詳細な説明を省略する。
【０１５０】
（実施の形態４）
実施の形態４は、枠体４をバックライトシャーシ３に固定するための凸凹構造として、バックライトシャーシ３の後面に突出部を設け、後壁４１２、４２２、４２３の内面に突出部が嵌合する溝部を設ける形態に関する。また、実施の形態４は、当該溝部の延長方向に溝部の底部よりも深く切削した平坦部を設け、当該平坦部と溝部の底部とを間をなだらかに継ぐ傾斜部を形成する形態に関する。
【０１５１】
図１７は、枠体４を取り付ける前段階におけるテレビジョン受信機１の部分的な斜視図である。図１７は、テレビジョン受信機１の左上角部分を後方左斜め上方から見た様子を示している。バックライトシャーシ３は、平坦突出部３９を含む。平坦突出部３９は、プレス成型により例えばセルスペーサとして設けられた、平坦な頂部を有する円柱状の突部である。平坦突出部３９は、底板３２の後面における上辺両端部、側辺両端部の合計６カ所に１つずつ設けられている。
【０１５２】
上枠４１及び側枠４２、４３をバックライトシャーシ３に固定するために、平坦突出部３９と対向する上枠４１及び側枠４２、４３の後壁４１２、４２２、４３２内面には、凹部４１２１、４３２１が設けられている。凹部４１２１、４３２１は、平坦突出部３９が摺動及び嵌合可能な窪みである。
【０１５３】
図１８は、側枠４２の後壁４２２内面に設けられた凹部４２２１の斜視図である。凹部４２２１は、溝部４２２２、平坦部４２２３及び傾斜部４２２４を含む。溝部４２２２は、側枠４２の長手方向と略平行に後壁４２２に削成された窪みであり、その幅は平坦突出部３９が嵌合可能な広さである。
【０１５４】
平坦部４２２３は、溝部４２２２の一端方向に溝部４２２２よりも深く削成された平坦面である。側枠４２をバックライトシャーシ３等に取り付けるために、側枠４２でバックライトシャーシ３等を挟み込む場合、平坦突出部３９は、平坦な頂部が平坦部４２２３の表面と対向するように平坦部４２２３に収容される。平坦部４２２３の平坦面と、平坦部４２２３に対向する前壁４２１との間隔は、平坦突出部３９を含んで挟み込まれるバックライトシャーシ３等の厚さよりも広い。そのため、平坦突出部３９を含むバックライトシャーシ３等は、無抵抗で断面形状がコの字状の側枠４２に挿入可能である。平坦部４２２３から溝部４２２２へ向かう方向は、テレビジョン受信機１を組み立てるために、側枠４２をバックライトシャーシ３等に対してスライド移動させる方向と逆方向である。
【０１５５】
傾斜部４２２４は、平坦部４２２３の表面と溝部４２２２の底面とを継ぐなだらかな斜面である。平坦突出部３９の高さは、側枠４２をバックライトシャーシ等に取り付けた場合、バックライトシャーシ３の底板３２の後面と溝部４２２２の底面との間の距離より高く、バックライトシャーシ３の底板３２の後面と平坦部４２２３の表面との間の距離より低い。
【０１５６】
側枠４２をバックライトシャーシ３に固定するために、側枠４２をスライド移動する場合、平坦突出部３９は斜面部４２２４を経由して、平坦部４２２３から溝部４２２２まで移動する。そして、後壁４２２と前壁４２１との間の距離は、平坦突出部３９を含むバックライトシャーシ３等の厚さよりも徐々に短くなる。そのため、平坦突出部３９の頂部は、傾斜部４２２４の斜面に接触し、その後摺動しながら溝部４２２２に嵌合する。更に、側枠４２がスライド移動された場合、平坦突出部３９は溝部４２２２の端部に当接し、バックライトシャーシ３等に対する側枠４２の取り付けは終了する。
【０１５７】
次に、バックライトシャーシ３等に対する側枠４２、４３の取り付け工程について、図を用いて説明する。上枠４１及び側枠４３の取り付け手順は、側枠４２の取り付け手順と同じである。図１９Ａ、図１９Ｂ及び図１９Ｄは、側枠４２の取り付け工程を示す説明図である。図１９Ｃ及び図１９Ｅは、側枠４３の取り付け工程を示す説明図である。図１９Ａから図１９Ｅまでにおいて、左方はテレビジョン受信機１の前側を、右方はテレビジョン受信機１の後側を示している。図１９Ａ、図１９Ｂ及び図１９Ｄは、テレビジョン受信機１の右側部における上面断面図である。図１９Ｃ及び図１９Ｅは、側枠４３における側壁４３３の一部をはぎ取った仮想的なテレビジョンン受信機１の側面図である。図１９Ｃ及び図１９Ｅにおいて、上方はテレビジョン受信機１の下側である。
【０１５８】
図１９Ａは、側枠４２がバックライトシャーシ３等に挿入される工程を示している。反射シート６から液晶パネル２及びパネルカバー１１までが取り付けられたバックライトシャーシ３に、側枠４２を近づける。バックライトシャーシ３等の一部が側枠４２の前壁４２１と後壁４２２との間に挿入され、平坦突出部３９が平坦部４２２３の前側の空間に収容される。その際、前壁４２１と平坦部４２２３との間の距離は、平坦突出部３９を含むバックライトシャーシ３等の厚さよりも長いので、平坦突出部３９の頂部が平坦部４２２３に当接した場合でも、パネルカバー１１と前壁４２１との間には隙間が確保されている。
【０１５９】
図１９Ｂ及び図１９Ｃは、夫々側枠４２及び側枠４３をバックライトシャーシ３等に対してスライド移動する前段階の工程を示している。平坦突出部３９は、平坦部４２２３、４３２３の端に突き当り、側枠４２に対するバックライトシャーシ３等の挿入工程は終了する。この状態においても、パネルカバー１１と前壁４２１との間には隙間が確保されている。この隙間の存在により、側枠４２を軽い力で容易にスライド移動することができる。
【０１６０】
側枠４２、４３のスライド移動を開始する。平坦突出部３９の頂部は、傾斜部４２２４、４３２４に接触する。側枠４２、４３のスライド移動を継続し、平坦突出部３９の頂部を傾斜部４２２４、４３２４の表面に対して摺動させる。傾斜部４２２４、４３２４の傾斜により前壁４２１、４３１と後壁４２２、４３２との間の距離が徐々に短縮し、パネルカバー１１と前壁４２１、４３１との間の隙間は消失する。更に側枠４２、４３のスライド移動を継続する場合、平坦突出部３９を含むバックライトシャーシ３等は傾斜部４２２４、４３２４の斜面に案内されて相対的に前側に移動する。そのため、バックライトシャーシ３等は、断面形状がコの字状である側枠４２、４３を押し開くように作用する。その結果、側枠４２、４３がバックライトシャーシ３等を固定する力が増大する。
【０１６１】
平坦突出部３９の頂部は、溝部４２２２、４３２２の底面に乗り上げる。平坦突出部３９は、溝部４２２２、４３２２に嵌合される。この嵌合により、側枠４２、４３は、平坦突出部３９を介してバックライトシャーシ３に係止される。そして、平坦突出部３９は、溝部４２２２、４３２２の端に突き当り、バックライトシャーシ３等に対する側枠４２、４３の取り付け工程は終了する。
【０１６２】
図１９Ｄ及び図１９Ｅは、スライド移動終了後のテレビジョン受信機１の状態を示している。バックライトシャーシ３からパネルカバー１１までの積層体は、側枠４２、４３により前後方向に固定される。
【０１６３】
なお、溝部４２２２には、平坦部４２２３が配置する方向と反対側に端がある（図１８）。しかし、溝部４２２２に端を設けなくてもよい。側枠４２の上端には、上枠４１のほぞ穴４１６に嵌合するほぞ４２６が設けられている（図７）。溝部４２２２に端を設けないことにより、ほぞ４２６の位置をほぞ穴４１６に対して自由に前進又は後退させることができるので、ほぞ組による上枠４１と側枠４２との継合を柔軟に行うことができるようになる。
【０１６４】
実施の形態４では、溝部４２２２、４３２２と平坦部４２２３、４３２３の間に、傾斜部４２２４、４３２４が設けられていた。しかし、傾斜部４２２４、４３２４に対応する構造は、実施の形態１における例えば上枠４１の溝部４１５に設けられてもよい（図５Ｂ参照）。図２０は、上枠４１の部分的な上面断面図である。図２０は、溝部４１５を通る水平面で上枠４１を切断した場合の概略的な断面図である。図２０において、上方はテレビジョン受信機１の前側であり、下方はテレビジョン受信機１の後側である。図２０において、左方は、テレビジョン受信機１を後側から見た場合の左側である。図２０には、バックライトシャーシ３及び突出部３５の断面も重ねて描いてある。
【０１６５】
溝部４１５は、直線状に配列した深さの異なる第一溝部４１５１と第二溝部４１５２とを有する。第一溝部４１５１の深さは、第二溝部４１５２の深さより深い。第一溝部４１５１と第二溝部４１５２とは傾斜部４１５３によって継がれている。第一溝部４１５１及び第二溝部４１５２と突出部３５とは、嵌合可能である。突出部３５が第一溝部４１５１に嵌合している場合、パネルカバー１１と前壁４１１との間には隙間がある。突出部３５が第二溝部４１５２に嵌合している場合、パネルカバー１１と前壁４１１との間の隙間は消失し、バックライトシャーシ３等は上枠４１により挟持され、固定される。突出部３５が第一溝部４１５１から第二溝部４１５２へスライド移動により移動する場合、突出部３５は傾斜部４１５３を経由するので、上枠４１のスライド移動は、容易に行われる。
【０１６６】
テレビジョン受信機１によれば、上枠４１等を取り付けるためにスライド移動する際、組み立て効率を向上させることができる。凹部４１２１、４２２１、４３２１は、深さの異なる溝部４２２２、４３２２と平坦部４２２３、４３２３とを有している。平坦突出部３９が平坦部４２２２、４３２２の前側空間に収容されている場合、側枠４２、４３とバックライトシャーシ３等の間には隙間が確保されているので、スライド移動の作業がし易い。平坦突出部３９が溝部４２２２、４３２２に嵌合した場合、平坦突出部３９及び溝部４２２２、４３２２の嵌合に加えて、側枠４２がバックライトシャーシ３等を挟持する力が生じる。平坦突出部３９は、上枠４１及び側枠４３の凹部４２２１、４３２１とも嵌合し、バックライトシャーシ３等は枠体４により仮固定される。平坦部４２２３、４３２３と溝部４２２２、４３２２との間には傾斜部４２２４、４３２４が形成されているため、テレビジョン受信機１の構成部材の状態は、隙間が確保されている状態から固定（仮固定）が完了する状態に連続的かつスムーズに遷移する。
【０１６７】
実施の形態４は以上の如きであり、その他は実施の形態１乃至３と同様であるので、対応する部分には同一の参照番号を付してその詳細な説明を省略する。
【０１６８】
（実施の形態５）
実施の形態５は、枠体４をバックライトシャーシ３に固定するための凸凹構造として、バックライトシャーシ３にＴ字状の開口部を、枠体４に当該スリットに嵌合するＴ字状の突出部を設ける形態に関する。
【０１６９】
図２１は、枠体４を取り付ける前段階におけるテレビジョン受信機１の部分的な斜視図である。図２１は、テレビジョン受信機１の左上角部分を後方左斜め上方から見た様子を示している。バックライトシャーシ３における底板３２の周縁部には、Ｔ字開口部３７１が設けられている。Ｔ字開口部３７１は、バックライトシャーシ３を後側から見た場合、その開口面が略Ｔ字形の形状をなす。Ｔ字開口部３７１は、底板３２の上部縁における両端付近に１つずつ、左側部縁及び右側部縁の両端付近に１つずつ、例えば合計６カ所に設けられている。図２１は、底板３２に設けられたＴ字開口部３７１のうち、２つを示している。
【０１７０】
Ｔ字を構成する棒の一つは、バックライトシャーシ３の周方向と略平行に延びた矩形状の開口又はスリットである。Ｔ字を構成する他の棒は、バックライトシャーシ３の周方向と略直角方向に延びた矩形状の開口又はスリットである。バックライトシャーシ３の周方向と略直角方向に延びた開口等から、バックライトシャーシ３の周方向と略平行に延びた開口等に向かう方向は、上枠４１及び側枠４２、４３を取り付けるために、上枠４１及び側枠４２、４３をスライド移動する移動方向でもある。
【０１７１】
上枠４１及び側枠４３をバックライトシャーシ３に固定するために、Ｔ字開口部３７１と対向する上枠４１及び側枠４３の後壁４１２、４３２には、Ｔ字突出部４１７１、４３７１が設けられている。Ｔ字突出部４１７１、４３７１は、夫々側断面形状及び上面断面形状がＴ字状をなす。
【０１７２】
図２２は、側枠４２の後壁４２２内面に設けられたＴ字突出部４２７１の斜視図である。Ｔ字突出部４２７１は、後壁４２２から後側に突出した脚部と、脚部から二股に分かれ、側枠４２の長手方向と直交する面内にて後壁４２２と略平行に延びた腕部とを含む。脚部の寸法は、バックライトシャーシ３の周方向と略直角方向に延びた開口等に遊嵌可能、かつバックライトシャーシ３の周方向と略平行に延びた開口等に嵌合可能に設定されている。また、脚部の高さは、バックライトシャーシ３における底板３２の厚さよりも僅かに低い。腕部の寸法は、バックライトシャーシ３の周方向と略直角方向に延びた開口等に遊嵌可能に設定されている。
【０１７３】
側枠４２でバックライトシャーシ３等を挟み込む場合、側枠４２をバックライトシャーシ３等に対して押圧する。Ｔ字突出部４２７１の腕部をＴ字開口部３７１においてバックライトシャーシ３の周方向と略直角方向に延びた開口等に遊嵌する。次に、側枠４２をスライド移動する。Ｔ字突出部４２７１の脚部を、Ｔ字開口部３７１においてバックライトシャーシ３の周方向と略平行に延びた開口等に嵌合させる。この状態で、Ｔ字突出部４２７１の腕部は、底板３２の前面に当接している。脚部の高さは底板３２の厚さよりも僅かに低いので、底板３２は側枠４２の後壁４２２とＴ字突出部４２７１の腕部との間を押し広げようとするように作用する。他方、側枠４２の後壁４２２とＴ字突出部４２７１の腕部とは、Ｔ字開口部３７１においてバックライトシャーシ３の周方向と略平行に延びた開口等の周囲の底板３２を挟持するように作用する。こうして、側枠４２は、バックライトシャーシ３に固定される。上枠４１及び側枠４３も、側枠４２と同様にしてバックライトシャーシ３に固定される。
【０１７４】
図２３は、テレビジョン受信機１の部分的な断面図である。図２３は、テレビジョン受信機１の左側部における上面断面図である。図２３において、左方はテレビジョン受信機１の前側に、右方はテレビジョン受信機１の後側に対応する。図２３では、遮光ホルダ１０及びパネルカバー１１を省略し、単純化を施している。図２３において、バックライトシャーシ３の底板３２は、側枠４１の後壁４１２とＴ字突出部４１７１の腕部との間に挟持されている。これにより、側枠４１はバックライトシャーシ３に固定されている。また、バックライトシャーシ３に固定された側枠４１は、バックライトシャーシ３等を前後に挟持している。
【０１７５】
実施の形態５では、枠体４に設けられた凸部はＴ字突出部４１７１、４２７１、４３７１であり、バックライトシャーシ３に設けられた開口はＴ字開口部３７１であった。しかし、Ｔ字突出部４１７１、４２７１、４３７１が有する２つの腕部は、いずれか一方だけでもよい。かかる場合、凸部の断面形状はＬ字状になる。また、凸部を断面形状がＬ字状の形状とした場合、バックライトシャーシ３に設ける開口の形状はＬ字状でもよい。
【０１７６】
テレビジョン受信機１によれば、Ｔ字突出部４１７１、４２７１、４３７１及びＴ字開口部３７１の嵌合によっても、上枠４１及び側枠４２、４３によるバックライトシャーシ３等の挟み込みと、スライド移動とが可能である。そのため、枠体４１の取り付けは容易に行われる。
【０１７７】
実施の形態５は以上の如きであり、その他は実施の形態１乃至４と同様であるので、対応する部分には同一の参照番号を付してその詳細な説明を省略する。
【０１７８】
（実施の形態６）
以下、実施の形態６について詳述する。図２４はテレビジョン受信機の略示斜視図、図２５はテレビジョン受信機の略示分解斜視図である。
【０１７９】
テレビジョン受信機５１は、映像を表示する表示装置５０と、表示装置５０内に配設してあり、アンテナ（不図示）から放送波を受信するチューナ（受信部）と、表示装置５０内に配設してあり、符号化された放送波を復号するデコーダとを備える。テレビジョン受信機５１は、チューナにて受信した放送波をデコーダで復号し、復号した情報に基づいて表示装置５０に映像を表示する。
【０１８０】
表示装置５０は矩形板状のバックライトシャーシ５２を備える。バックライトシャーシ５２は、その長手縁部に、正面側に直角に突出した突出板部５２ａを有する。該突出板部５２ａに光源、例えばＬＥＤ基板５７が支持されている。バックライトシャーシ５２の正面には反射板５８が設けてあり、該反射板５８の正面に導光板５３が設けてある。なおＬＥＤ基板５７に実装されたＬＥＤが導光板５３の周面に対向するように、ＬＥＤ基板５７は突出板部５２ａに固定してある。
【０１８１】
導光板５３の周縁部に遮光部５４が設けてある。導光板５３の正面に複数の光学シート５５、５５、・・・、５５が設けてあり、該光学シート５５の正面に表示パネル５６が設けてある。表示パネル５６は横長矩形をなし、例えば液晶パネルである。表示パネル５６、光学シート５５、導光板５３及びバックライトシャーシ５２の周縁部は、横長矩形の枠体６０に囲まれている。
【０１８２】
ＬＥＤ基板５７から出射した光は導光板５３の内部に入射し、導光板５３の正面から出て、表示パネル５６を通過する。利用者は表示パネル５６に表示された映像を視認することができる。
【０１８３】
前記枠体６０は、表示パネル５６の長手縁部分に沿う上枠部材６１及び下枠部材６２と、長手縁部分に直角な縁部分に沿う二つの横枠部材６３、６３とを有する。横枠部材６３の両端部と上枠部材６１及び下枠部材６２の端部とが連結し、矩形の枠体６０を構成している。
【０１８４】
上枠部材６１、下枠部材６２及び横枠部材６３、６３は、表示パネル５６の縁部分に沿う挿入溝６１ａ、６２ａ、６３ａ、６３ａ（パネル挿入溝）を備える。該挿入溝６１ａ、６２ａ、６３ａ、６３ａには、前記表示パネル５６、光学シート５５、導光板５３及びバックライトシャーシ５２の周縁部が挿入してある。上枠部材６１、下枠部材６２及び横枠部材６３は表示パネル５６、光学シート５５、導光板５３、反射板５８及びバックライトシャーシ５２を挟んで保持する。
【０１８５】
図２６は上枠部材６１及び横枠部材６３の連結部分を略示する部分分解斜視図、図２７は図２４に示すＸＸＶＩＩ−ＸＸＶＩＩ線を切断線とした部分断面図、図２８は図２４に示すＸＸＶＩＩＩ−ＸＸＶＩＩＩ線を切断線とした部分断面図である。
【０１８６】
上枠部材６１の挿入溝６１ａは、長手方向に直交する切断面における断面形状がＵ字状をなす。上枠部材６１の端部において、挿入溝６１ａの側面及び底面（内周面）に、後述する尖端条１３２が嵌合するＵ字状の嵌合溝７０（嵌合凹部）が形成してある。嵌合溝７０の断面形状はＶ字状をなす。
【０１８７】
嵌合溝７０は、上枠部材６１の長手方向に直角な側面９１と、該側面９１に連なり、上枠部材６１の長手方向に平行な底面９２と、該底面９２に連なり、上枠部材６１の長手方向に交差する傾斜面１１３とを有する。図２７に示すように、挿入溝６１ａの底面部において、傾斜面１１３は、表示パネル５６の互いに直交する二周面に交差する方向に傾斜している。
【０１８８】
横枠部材６３は、表示パネル５６の周面に対向する細長いベース板１３０と、該ベース板１３０の両長手縁から直角に突出した板状のリブ１３１、１３１とを有する。両リブ１３１、１３１は上枠部材６１側に突出しており、ベース板１３０に沿って延びている。リブ１３１はベース板１３０の両端部からは突出しておらず、ベース板１３０の両端部はリブ１３１よりも長手方向に突出している（以下この突出した部分を突出部１３０ａという）。
【０１８９】
突出部１３０ａの端部分は外向きに突出した半円板状をなす。突出部１３０ａの外周面には、外向きに突出した尖端条１３２が形成してある。尖端条１３２は、前記側面９１に対向し、横枠部材６３の長手方向に平行な対向面と、該対向面に交差し、前記傾斜面１１３と略同じ方向に傾斜した傾斜面１３２ａとを備える。
【０１９０】
作業者は尖端条１３２を嵌合溝７０に挿入して上枠部材６１及び横枠部材６３を連結する。挿入溝６１ａの開口側から尖端条１３２は挿入される。尖端条１３２の対向面は嵌合溝７０の側面９１上を移動し、嵌合溝７０の側面９１は尖端条１３２の対向面を案内する。
【０１９１】
尖端条１３２の傾斜面１３２ａは嵌合溝７０の傾斜面１１３に対向し、尖端条１３２は嵌合溝７０の内側を移動する。嵌合溝７０は上枠部材６１の長手方向に平行な底面９２を有し、尖端条１３２の先端は該底面９２に沿って円滑に移動する。嵌合溝７０が底面９２を有さない場合、尖端条１３２の先端は、嵌合溝７０の傾斜面１１３及び側面９１にて形成された鋭角な隙間に引っ掛かり、円滑に移動することができない。
【０１９２】
前述したように、挿入溝６１ａの底面部において、嵌合溝７０の傾斜面１１３は、表示パネル５６の互いに直交する二周面に交差する方向に傾斜している。また尖端条１３２の傾斜面１３２ａは、嵌合溝７０の傾斜面１１３と略同じ方向に傾斜している。
【０１９３】
そのため図２７、図２８の矢印にて示すように、尖端条１３２全体が嵌合溝７０に嵌合した場合、尖端条１３２の傾斜面１３２ａから嵌合溝７０の傾斜面１１３に力が作用し、上枠部材６１は横枠部材６３に接近する。
【０１９４】
実施の形態６に係るテレビジョン受信機５１にあっては、上枠部材６１の挿入溝６１ａに嵌合溝７０を形成し、横枠部材６３の端部の突出部１３０ａを嵌合溝７０に嵌合し、隙間の発生を防ぐので、塵埃の進入及び光漏れを防止し、外観品位を向上させることができる。
【０１９５】
また断面Ｖ字状の嵌合溝７０に尖端条１３２を挿入するので、尖端条１３２を嵌合溝７０に密着させて、塵埃の進入及び光漏れを確実に防止することができる。また嵌合溝７０に、表示パネル５６の互いに直交する二側面に交差する方向に傾斜した傾斜面１１３を形成しているので、横枠部材６３には上枠部材６１に近接する力が作用し、横枠部材６３と上枠部材６１とを堅固に連結することができる。また連結後に隙間を塞ぐ必要が無く、製造工程を削減することができる。
【０１９６】
（実施の形態７）
以下、実施の形態７について詳述する。図２９は上枠部材６１及び横枠部材６３の連結部分を略示する部分分解斜視図、図３０は上枠部材６１及び横枠部材６３の連結部分を略示する拡大斜視図である。
【０１９７】
上枠部材６１の端部において、挿入溝６１ａの両側面に嵌合溝１１５、１１５（嵌合凹部）が設けてある。嵌合溝１１５は横枠部材６３側が開口している。前後方向に直交する面を切断面とした場合、嵌合溝１１５の断面形状は逆Ｖ字状をなす。
【０１９８】
嵌合溝１１５の対向する二つの側面１１５ａ、１１５ｂは横枠部材６３の長手方向（上下方向）に対して傾斜しており、両側面１１５ａ、１１５ｂの対向間距離は横枠部材６３から離反するに従って短くなる。換言すれば、前記対向間距離は挿入溝６１ａの底面側が短くなる。上枠部材６１の端部に近い嵌合溝１１５の側面１１５ａは、正面視において、表示パネル５６の互いに直交する二周面に交差する方向に傾斜している。
【０１９９】
横枠部材６３のリブ１３１は、その端部に外向きに突出した尖端部分１３５（突出部）を有する。尖端部分１３５は上枠部材６１側を頂点とした三角形の板状をなす。尖端部分１３５はリブ１３１正面に直角な二つの傾斜面１３５ａ、１３５ｂを有する。両傾斜面１３５ａ、１３５ｂは前記両側面１１５ａ、１１５ｂに対応しており、各傾斜面１３５ａ、１３５ｂは各側面１１５ａ、１１５ｂと略同じ向きに傾斜している。両傾斜面１３５ａ、１３５ｂ間の距離は両側面１１５ａ、１１５ｂの対向間距離に対応している。
【０２００】
作業者はリブ１３１の尖端部分１３５を嵌合溝１１５に挿入し、上枠部材６１及び横枠部材６３を連結する。挿入溝６１ａの開口側から尖端部分１３５は挿入される。両傾斜面１３５ａ、１３５ｂは両側面１１５ａ、１１５ｂに当接する。
【０２０１】
前述したように、上枠部材６１の端部に近い嵌合溝１１５の側面１１５ａは、正面視において、表示パネル５６の互いに直交する二周面に交差する方向に傾斜している。そのため図３０の矢印にて示すように、傾斜面１３５ａが前記側面１１５ａに当接した場合、尖端部分１３５の傾斜面１３５ａから側面１１５ａに力が作用し、上枠部材６１は横枠部材６３に接近する。
【０２０２】
なお下枠部材６２及び横枠部材６３の連結構成も上枠部材６１及び横枠部材６３の連結構成と同様にすることができる。
【０２０３】
実施の形態７に係るテレビジョン受信機５１にあっては、上枠部材６１の挿入溝６１ａに嵌合溝１１５を形成し、横枠部材６３の端部の尖端部分１３５を嵌合溝１１５に嵌合し、隙間の発生を防ぐので、塵埃の進入及び光漏れを防止し、外観品位を向上させることができる。
【０２０４】
また断面逆Ｖ字状の嵌合溝１１５を挿入溝６１ａの側面に形成し、嵌合溝１１５の両側面１１５ａ、１１５ｂの対向間距離を横枠部材６３から離反するに従って短くしているので、横枠部材６３及び上枠部材６１の位置決めを容易に行うことができる。また上枠部材６１の端部に近い嵌合溝１１５の側面１１５ａは、正面視において、表示パネル５６の互いに直交する二周面に交差する方向に傾斜しているので、横枠部材６３には上枠部材６１に近接する力が作用し、横枠部材６３と上枠部材６１とを堅固に連結することができる。また連結後に隙間を塞ぐ必要が無く、製造工程を削減することができる。
【０２０５】
実施の形態７に係る構成の内、実施の形態６と同様な構成については同じ符号を付し、その詳細な説明を省略する。
【０２０６】
（実施の形態８）
以下、実施の形態８について詳述する。図３１は背面側から見た上枠部材６１及び横枠部材６３の連結部分を略示する部分分解斜視図、図３２は背面側からみた上枠部材６１及び横枠部材６３の連結部分を略示する部分斜視図、図３３は上枠部材６１及び横枠部材６３の連結部分を略示する部分背面図、図３４は突出部及び切欠を略示する部分断面図である。
【０２０７】
上枠部材６１は、表示パネル５６の周面に対向する細長いベース板１１８と、該ベース板１１８の両長手縁から直角に突出した板状の正面リブ１１６及び背面リブ１１７とを有する。正面リブ１１６及び背面リブ１１７は横枠部材６３側に突出しており、ベース板１１８に沿って延びている。ベース板１１８、正面リブ１１６及び背面リブ１１７によって囲まれた上枠部材６１の内周面は挿入溝６１ａをなす。
【０２０８】
正面リブ１１６の背面（換言すれば上枠部材６１の内周面又は挿入溝６１ａの側面）に、正面側に窪んだ浅皿凹部６１ｂが設けてある。背面側から見た場合、浅皿凹部６１ｂは、上枠部材６１及び横枠部材６３に平行な辺からなる矩形状をなす。浅皿凹部６１ｂのベース板１１８側の縁部から横枠部材６３側に突出部６１ｃが突出している。すなわち、上枠部材６１の長手方向に直交する方向に突出している。突出部６１ｃは浅皿凹部６１ｂ上に位置し、突出部６１ｃの突出端部は、先端側に突出した半円形状をなす。
【０２０９】
背面リブ１１７の端部であって、浅皿凹部６１ｂに対向する部分に矩形状の切欠１１７ａが設けてある。背面側から見た場合における切欠１１７ａの開口面積は浅皿凹部６１ｂよりも大きい。切欠１１７ａのベース板１１８側の縁部から横枠部材６３側に、後述する案内凹部６３ｄに挿入される案内凸部６１ｄが突出している。案内凸部６１ｄは背面視矩形状をなす。
【０２１０】
前述したように、横枠部材６３は、表示パネル５６の周面に対向する細長いベース板１３０と、該ベース板１３０の両長手縁から直角に突出した板状のリブ１３１、１３１とを有する。両リブ１３１、１３１は上枠部材６１側に突出しており、ベース板１３０に沿って延びている。両リブ１３１、１３１はそれぞれ正面側及び背面側に位置する（以降、正面側のリブ１３１を正面リブ１３１ａと称し、背面側のリブ１３１を背面リブ１３１ｂと称する）。ベース板１３０、正面リブ１３１ａ及び背面リブ１３１ｂに囲まれた横枠部材６３の内周面は挿入溝６３ａをなす。
【０２１１】
正面リブ１３１ａの端部における前記突出部６１ｃに対応した箇所に、突出部６１ｃに倣った形状を有する切欠６３ｃ（嵌合凹部）が形成してある。切欠６３ｃは上枠部材６１側に開口したＵ状をなし、上枠部材６１の長手方向に直交する方向に窪んでいる。切欠６３ｃにおけるベース板１３０の反対側の開口縁部に、傾斜面６３ｂが設けてある。傾斜面６３ｂは、Ｕ状をなす切欠６３ｃの底部に向けて下降傾斜している。突出部６１ｃ及び切欠６３ｃは略同寸に設計してあり、突出部６１ｃは切欠６３ｃに、遊びが無い状態で嵌合している。
【０２１２】
背面リブ１３１ｂの端部における前記案内凸部６１ｄに対応した箇所に、案内凸部６１ｄが挿入される浅皿形の案内凹部６３ｄが形成してある。案内凹部６３ｄは背面リブ１３１ｂの背面に形成してある。案内凸部６１ｄは案内凹部６３ｄに挿入してある。
【０２１３】
図３５は正面側から見た上枠部材６１及び横枠部材６３の連結部分を略示する部分分解正面図、図３６は正面側から見た上枠部材６１及び横枠部材６３の連結部分を略示する部分正面図である。突出部６１ｃは正面リブ１１６の背面に形成してあるので、図３５に示すように、正面側から視認されない。そのため、図３６に示すように、突出部６１ｃが切欠６３ｃに嵌合し、上枠部材６１及び横枠部材６３が連結した場合、突出部６１ｃ及び切欠６３ｃは正面から視認されず、外観意匠性が向上する。
【０２１４】
なお下枠部材６２及び横枠部材６３の連結部分にもそれぞれ突出部６１ｃ及び切欠６３ｃが設けてあり、上枠部材６１及び横枠部材６３の連結と同様に、下枠部材６２及び横枠部材６３が連結されている。
【０２１５】
上枠部材６１及び横枠部材６３の連結作業について説明する。作業者は、上枠部材６１の浅皿凹部６１ｂ上に、横枠部材６３の正面リブ１３１ａの端部を載せ、上枠部材６１の案内凸部６１ｄを横枠部材６３の案内凹部６３ｄに載せる。作業者は、案内凸部６１ｄを案内凹部６３ｄに挿入させつつ、突出部６１ｃを傾斜面６３ｂに沿って移動させて、切欠６３ｃに嵌合させる。
【０２１６】
実施の形態８に係るテレビジョン受信機は、突出部６１ｃ及び切欠６３ｃが、上枠部材６１の長手方向（横方向）に直交する方向（換言すれば表示パネル５６の上縁部に直交する上下方向）に沿っているので、上枠部材６１及び横枠部材６３を連結した場合に、上下方向に沿って連結部分に隙間が生じていても、突出部６１ｃが切欠６３ｃに嵌合することによって、上枠部材６１及び横枠部材６３が横方向に偏倚することを防止することができる。
【０２１７】
また挿入溝６１ａの内側において、突出部６１ｃが切欠６３ｃに嵌合するので、突出部６１ｃ及び切欠６３ｃは外部から視認されず、外観意匠性が向上する。また案内凸部６１ｄを案内凹部６３ｄに挿入することによって、上枠部材６１及び横枠部材６３を円滑に連結することができる。また嵌合凹部６３ｄの開口縁部分に傾斜面６３ｂを設けることによって、該傾斜面６３ｂに沿って突出部６１ｃを切欠６３ｃに導くことができる。
【０２１８】
なお切欠６３ｃは突出部６１ｃが嵌合する嵌合凹部の一例であって、切欠６３ｃに代えて、他の形状の嵌合凹部を正面リブ１３１ａに設けてもよい。例えば正面リブ１３１ａの正面に、突出部６１ｃに対応した浅皿形の凹部を設けてもよい。また突出部を横枠部材６３に設け、嵌合凹部を上枠部材６１に設けてもよい。
【０２１９】
（実施の形態９）
以下、実施の形態９について詳述する。図３７は実施の形態９に係るテレビジョン受信機の一構成例を示す正面図、図３８は実施の形態９に係るテレビジョン受信機の一構成例を示す背面図、図３９は、テレビジョン受信機の一構成例を示す分解斜視図、図４０及び図４１はテレビジョン受信機の下側部分の要部を示した部分拡大側面図である。
【０２２０】
実施の形態９に係るテレビジョン受信機は、前側に表示面１４１を有する正面視略矩形状の液晶表示パネル８３及びエッジライド方式のバックライト装置８２を積層して収容した収容体８０を備える。収容体８０は正面視が横長略矩形状のトレー状をなし、略矩形の背面板部９５と、該背面板部９５の周縁から前方へ起立した側壁部９６とを有する。
【０２２１】
また、収容体８０は、液晶表示パネル８３の長手方向に略平行な線条凸部９３を後面に有する。線条凸部９３は収容体８０の下面部よりも適宜長上側の位置から後方へ突出するようにプレス加工による曲げ加工によって形成されている。収容体８０に線条凸部９３を設けることによって、収容体８０の曲げ強度を向上させることができ、収容体８０の下部に配される各種電子部品が曲げによって破損すること防止している。収容体８０は、鉄等の金属製であり、プレス加工により形成されている。
【０２２２】
バックライト装置８２は、ＬＥＤ光源１２１、反射シート１２２、導光板１２３及び光学シート１２４で構成されている。ＬＥＤ光源１２１は、収容体８０下辺側の側壁部９６の内面に固定された長尺のＬＥＤ基板１２１ａを備える。ＬＥＤ基板１２１ａには、その長手方向に沿って複数の発光ダイオード１２１ｂが並設され、上方へ光を発するように構成されている。反射シート１２２は収容体８０の背面板部９５と略同寸法の矩形状であり、背面板部９５の前面に配されている。
【０２２３】
導光板１２３は、正面視形状が反射シート１２２と略同一の矩形状をなし、導光板１２３の下面からＬＥＤ光源１２１の光が入射するように、反射シート１２２の前側に配されている。導光板１２３は、例えばアクリル製であり、下面から入射したＬＥＤ光源１２１の光を内部で拡散させながら前方へ導き、前方を照射する。収容体８０に載置された反射シート１２２、導光板１２３の周縁は遮光枠体１２５によって覆われており、また遮光枠体１２５によって収容体８０に保持されている。
【０２２４】
遮光枠体１２５は、導光板１２３の側辺から出射した光がテレビジョン受信機の外部に漏れることを防止するための部材である。また、遮光枠体１２５は、収容体８０及び後述する枠体８５よりも熱電率が低く、ＬＥＤ光源１２１の熱がテレビジョン受信機の側辺から発散されることを防止する機能を兼ねている。遮光枠体１２５は、導光板１２３の前面の周縁部分に当接する正面視が矩形枠状をなす当接枠１２５ａと、該当接枠１２５ａの周縁から後方へ起立しており、収容体８０の側壁部９６の外側を囲繞する囲繞板１２５ｂとで構成されている。また、導光板１２３の前面側には、導光板１２３から出射した光を均一化する光学シート１２４が遮光枠体１２５の内側に収まるように配されている。光学シート１２４は、例えば反射偏向シート、拡散シート及びプリズムシート等を積層したものである。
【０２２５】
バックライト装置８２の前側には、液晶表示パネル８３が配されている。液晶表示パネル８３は、アスペクト比が１６／９の略矩形の表示面１４１を有している。液晶表示パネル８３は、スペーサを介して対向配置された略長方形の２枚のガラス基板、及び該ガラス基板に封入された液晶を備えている。正面側のガラス基板の内面には、画素を構成する複数のＲＧＢカラーフィルタが縦横に配列している。背面側のガラス基板の内面には、横方向の走査線及び縦方向の信号線１４６がマトリクス状に配されており、走査線と信号線１４６との交差部分には、各画素に対応した液晶部分に電圧を印可するためのアクティブ素子、例えばＴＦＴ（Thin Film Transistor）が設けられている。各ＴＦＴのゲート電極は走査線に接続され、ソース電極は信号線１４６に接続されている。なお、各ガラス基板の外側には、ＴＦＴがオンの状態でバックライトの光が透過するように図示しない偏光フィルムが配されており、ノーマリーブラックの液晶表示パネル８３が構成されている。
【０２２６】
液晶表示パネル８３の下端面部分から液晶表示パネル８３を駆動するための走査線及び信号線１４６に接続された帯状のフレキシブル基板１４２が延びている。フレキシブル基板１４２は、可撓性のフィルム基材に、図示しない配線パターンが形成されたものであり、該配線パターンに液晶駆動回路１４２ａがＣＯＦ（Chip On Film）方式で実装されている。液晶駆動回路１４２ａの外観は棒状であり、液晶表示パネル８３の下端面の長手方向に対して略平行になるようにフレキシブル基板１４２に実装されている。液晶駆動回路１４２ａは、フレキシブル基板１４２の配線パターンを通じて、液晶表示パネル８３の走査線に走査電圧を印加し、信号線１４６に画像信号に基づいた電圧を印加する。走査線及び信号線１４６に走査電圧及び画像に基づく電圧が印加され、液晶表示パネル８３の表示面１４１に該画像が表示される。
【０２２７】
フレキシブル基板１４２の先端部はリジッド基板１４３に接続されている。リジッド基板１４３にはコネクタ１４４が実装されており、該コネクタ１４４にはフラットケーブル１４５が接続されている。フラットケーブル１４５は収容体８０の後面に設けられた液晶タイミング制御基板８６及び画像処理基板に接続されている。画像処理基板は、例えば受信部及び信号処理回路が実装されている。受信部は、例えばデジタルチューナであり、テレビジョン信号を受信して選局を行い、選局されたチャンネル即ち特定の周波数帯の放送信号をＭＰＥＧ（Moving Picture Experts Group）−２ＴＳ（Transport Stream）等のデータに変換し、該データを、信号処理回路に与える。信号処理回路ではデータのデコード、その他の各種処理を実行し、映像の信号に基づいて、液晶駆動回路１４２ａの動作を制御し、該テレビジョン信号に係る映像を表示する。
【０２２８】
また、テレビジョン受信機は、積層された液晶表示パネル８３、光学シート１２４、導光板１２３、反射シート１２２及び収容体８０の周縁部の４辺それぞれを前後から挾持する断面Ｕ字状の溝を内周に形成した枠体８５を備える。液晶表示パネル８３と、枠体８５との間には、液晶表示パネル８３の前面を保護する略矩形枠状のパネルカバー８４が介装されている。枠体８５は、収容体８０にバックライト装置８２及び液晶表示パネル８３を保持させると共に、テレビジョン受信機の最外枠であり、液晶表示パネル８３の表示面１４１を縁取る額縁の役割を有している。枠体８５は、液晶表示パネル８３の上辺部分を挾持する上枠体１５１と、左右部分を挾持する横枠体１５２，１５３と、下枠体１５４とで構成されている。枠体８５は、例えばアルミニウム等の金属、合成樹脂等で構成されており、少なくとも下枠体１５４は収容体８０よりも熱伝導率が高い部材で構成されている。
【０２２９】
テレビジョン受信機の下部の構成を、図４０及び図４１を参照して説明する。図４０及び図４１は、異なる横方向位置の側断面図である。下枠体１５４は、パネルカバー８４を介して液晶パネルの前面を押さえる前板部１５４ａと、収容体８０の後側に当接する後板部１５４ｃと、前板部１５４ａ及び後板部１５４ｃを繋ぐ底板部１５４ｂとを有する。液晶表示パネル８３の下端面部分から延びるフレキシブル基板１４２は、Ｕ字溝状の下枠体１５４の内面に沿って、収容体８０の背面側に引き回されている。
【０２３０】
下枠体１５４の底板部１５４ｂには、フレキシブル基板１４２の液晶駆動回路１４２ａが配された箇所、つまり、液晶駆動回路１４２ａが配されたフレキシブル基板１４２の裏面が当接する当接部１５４ｄが形成されている。当接部１５４ｄは、例えば、遮光枠体１２５よりも底板部１５４ｂの前寄りに設けられた側断面三角形状で、液晶表示パネル８３の下端面の長手方向に略平行な線条突起である。当接部１５４ｄは後方へ下り傾斜する傾斜面１５４ｅを有する。液晶駆動回路１４２ａは当接部１５４ｄと、遮光枠体１２５の囲繞板１２５ｂとの間に配され、フレキシブル基板１４２の液晶駆動回路１４２ａが配された箇所、つまり、液晶駆動回路１４２ａの裏側の基材は、当接部１５４ｄの傾斜面１５４ｅに当接している。
【０２３１】
後板部１５４ｃの上下方向の幅は、前板部１５４ａの上下方向の幅よりも長く、後板部１５４ｃの表面積は、前板部１５４ａの表面積よりも大きく構成されている。後板部１５４ｃの上端部は、収容体８０の線条凸部９３に当接しており、収容体８０の背面板と、後板部１５４ｃとの間には空隙が設けられている。該空隙には、リジッド基板１４３が配されている。
【０２３２】
また、図４１に示すように、ＬＥＤ基板１２１ａの両端部には雌ねじ１２１ｃが形成されており、収容体８０及び遮光枠体１２５の底面及び下枠体１５４の底板部１５４ｂには、雌ねじ１２１ｃと対応する箇所に孔部９４、１２５ｃ、１５４ｆが形成されている。下枠体１５４は、孔部９４、１２５ｃ、１５４ｆを挿通したねじ、ビス、ボルト等の締結部材８７によって収容体８０に締結されている。締結部材８７は、例えば金属製であり、ＬＥＤ光源１２１で発生した熱を収容体８０から下枠体１５４へ伝導させる機能を兼ねている。
【０２３３】
このように構成されたテレビジョン受信機によれば、収容体８０に、導光板１２３、光学シート１２４及び液晶表示パネル８３を積層し、その周縁を溝が形成された枠体８５で挾持する構成を採用することにより液晶表示装置を薄型化できる。
【０２３４】
また、フレキシブル基板１４２の液晶駆動回路１４２ａが配された箇所を枠体８５の当接部１５４ｄに当接させることにより、液晶駆動回路１４２ａで発生した熱を枠体８５に伝導させ、効果的に放熱することができる。
【０２３５】
更に、フレキシブル基板１４２は、下枠体１５４のＵ字溝の内面に沿って、収容体８０の背面側に引き回されているため、Ｌ字状のベゼルに沿ってフレキシブル基板１４２を引き回す場合に比べて、枠体８５の内面に当接させ易く、液晶駆動回路１４２ａの位置合わせも不要であり、組み立てが容易である。
【０２３６】
更にまた、当接部１５４ｄは傾斜面１５４ｅを有し、フレキシブル基板１４２の液晶駆動回路１４２ａが配された箇所を該傾斜面１５４ｅに当接させる構成であるため、より短い経路を通ってフレキシブル基板１４２を収容体８０の後側に引き回すことができる。つまり、フレキシブル基板１４２の長さを短くすることができる。
【０２３７】
更にまた、傾斜面１５４ｅと、遮光枠体１２５との間に液晶駆動回路１４２ａを挟むように構成してあるため、より確実にフレキシブル基板１４２の液晶駆動回路１４２ａが配された箇所を当接部１５４ｄに当接させることができる。
【０２３８】
更にまた、枠体８５は収容体８０よりも熱伝導率が高く、前板部１５４ａの表面積は後板部１５４ｃの表面積より大きいため、液晶駆動回路１４２ａの熱を枠体８５の後側部分から効率的に放熱することが可能である。
【０２３９】
更にまた、エッジライト方式のＬＥＤ光源１２１の熱をテレビジョン受信機の下側面部では無く、主に後面側から発散することができ、下側面部の温度上昇を抑えることができる。
【０２４０】
更にまた、ＬＥＤ光源１２１で発生した熱を、締結部材８７を通じて下枠体１５４に伝導させ、下枠体１５４の後側から放熱することができる。
【０２４１】
更にまた、ＬＥＤ光源１２１が配された収容体８０の側壁部９６と、下枠体１５４との間に遮光枠体１２５が位置しており、該遮光枠体１２５の熱伝導率がシャーシ及び枠体８５よりも低いため、テレビジョン受信機の下面部からの放熱を抑えることができる。
【０２４２】
更にまた、下枠体１５４の後板部１５４ｃに伝導した熱の一部を、シャーシの線条凸部９３を介してシャーシに発散することができ、より効果的な放熱が可能になる。
【０２４３】
なお、実施の形態９では、テレビジョン受信機の下側にＬＥＤ光源、フレキシブル基板、当接部等を設ける例を説明したが、各構成部を設ける位置は下側に限定されるものでは無く、上側、横側に設けても良い。
【０２４４】
また、フレキシブル基板を当接部に当接させる構成を例示したが、液晶駆動回路を当接部に直接当接させても良い。更に、当接部の形状は、液晶駆動回路の熱を枠体へ伝導させることができれば、特に限定されるものでは無い。
【０２４５】
なお、今回開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【０２４６】
また、各実施の形態で記載されている技術的特徴（構成要件）は、お互いに組合せ可能であり、組み合わせすることにより、新しい技術的特徴を形成することができる。
【０２４７】
（付記）
以上の実施の形態に関し、更に以下の付記を開示する。
【０２４８】
本発明に係る液晶表示装置は、前側から後側へ順次積層された液晶パネル２、光学シート９、バックライト７及びバックライト収容体３を備える液晶表示装置において、前記液晶パネル２、光学シート９、バックライト７及びバックライト収容体３を挟持する矩形状の枠体４を備え、該枠体４は断面形状が内側に向かって開いたコの字状をなすことを特徴とする。
【０２４９】
本発明に係る液晶表示装置では、液晶パネル２、光学シート９、バックライト７及びバックライト収容体３が、前側から後側へ順次積層されている。液晶表示装置は、液晶パネル２、光学シート９、バックライト７及びバックライト収容体３を挟持する枠体４を備えており、枠体４の断面形状は内側に向かって開いたコの字状である。これにより、筐体を排除した液晶表示装置は、筐体が占める重量及び容積の分だけ軽量化、薄型化及び狭額縁化を実現することができる。
【０２５０】
本発明に係る液晶表示装置は、前記枠体４は四つの直線状の枠部材４１、４２、４３、４４に分割可能であり、前記枠部材４１、４２、４３、４４は夫々押出成型品であることを特徴とする。
【０２５１】
本発明に係る液晶表示装置では、枠体４は直線状の枠部材４１、４２、４３、４４に四分割することができる。これにより、枠体４が大型化した場合であっても、枠体４を容易に成形することができる。本発明に係る液晶表示装置では、枠部材４１、４２、４３、４４が夫々押出成型により形成される。これにより、枠部材の断面形状が複雑であっても、枠部材は容易に形成可能である。
【０２５２】
本発明に係る液晶表示装置は、前記光学シート９は前記バックライト７の前面より小さく、前記光学シート９の外側であって、前記液晶パネル２及び前記バックライト７の周縁部の間に位置し、外部へ漏れる前記バックライト７の光を遮光する矩形状の遮光枠体１０を備えることを特徴とする。
【０２５３】
本発明に係る液晶表示装置では、光学シート９はバックライト７の前面より小さい。液晶表示装置は、光学シート９の外側であって、液晶パネル２とバックライト７との周縁部の間に位置する遮光枠体１０を備えている。遮光枠体１０は、バックライト７の前面周縁部から外部へ漏洩する光を遮る。これにより、遮光枠体１０がバックライト７の前面周縁部から外部へ漏洩する光を遮るので、液晶表示装置の視者は液晶パネル２周囲から漏れる光を気にすることなく、液晶パネル２の画面に表示される画像を視ることができる。
【０２５４】
本発明に係る液晶表示装置は、前記バックライト収容体３を後側から覆うバックキャビネット１２を備え、前記枠体４は、前記液晶パネル２、光学シート９、遮光枠体１０、バックライト７、バックライト収容体３及びバックキャビネット１２を挟持していることを特徴とする。
【０２５５】
本発明に係る液晶表示装置では、バックライト収容体３を後側から覆うバックキャビネット１２を備えている。枠体４は、液晶パネル２、光学シート９、遮光枠体１０、バックライト７、バックライト収容体３及びバックキャビネット１２を挟持している。これにより、バックライト７から後方に出射される光をバックライト収容体３が遮光することで、液晶表示装置における遮光効果は更に増大する。また、バックキャビネット１２は、液晶表示装置の美観及び強度を向上させることができる。
【０２５６】
本発明に係る液晶表示装置は、前記バックライト７は、光源８ａが実装された基板８と、前記光源８ａの光を側面から入射し、前記光学シート９に光を出射する導光板７とを有し、前記バックライト収容体３は前面が開口された箱状をなし、前記液晶パネル２、光学シート９、遮光枠体１０及び導光板７は、前記バックライト収容体３の内底面上に積層されており、前記基板８は前記導光板７の側面と対向する前記バックライト収容体３の内側面に配置されていることを特徴とする。
【０２５７】
本発明に係る液晶表示装置では、バックライト７は、光源８ａが実装された基板８と、導光板７とを有している。導光板７は、光源８ａの光を側面から入光し、入光した光を反射、拡散させて、前側の光学シート９に出射する。液晶パネル２、光学シート９、遮光枠体１０及び導光板７は、前面が開口されたバックライト収容体３の内底面上に積層されている。基板８は、導光板７の側面と対向するバックライト収容体３の内底面に配置されている。これにより、液晶表示装置は、エッジライト方式を採用して、バックライト７の厚みを導光板７の厚みまで低減させることにより、薄型化を図ることができる。また、液晶パネル２、光学シート９、遮光枠体１０及び導光板７は、バックライト収容体３に収容されるため、液晶表示装置はバックキャビネット１２を排除しても、強度を担保することができる。
【０２５８】
本発明に係る液晶表示装置は、前記枠体４はアルミニウム製であることを特徴とする。
【０２５９】
本発明に係る液晶表示装置では、枠体４はアルミニウム製である。これにより、枠体４は、アルミニウムが有する熱伝導性、加工性、軽量性及びリサイクル性における高性能を享受することができる。
【０２６０】
本発明に係る液晶表示装置は、前記液晶パネル２の前面周縁部を覆う矩形状の被覆枠体１１を備え、前記枠体４は前記被覆枠体１１の前面及びバックライト収容体３の後側周縁部に当接して、該被覆枠体１１、液晶パネル２、光学シート９、バックライト７及びバックライト収容体３を挟持していることを特徴とする。
【０２６１】
本発明に係る液晶表示装置では、液晶パネル２の前面周縁部を覆う矩形状の被覆枠体１１を備えている。枠体４は、被覆枠体１１の前面とバックライト収容体３の後側周縁部に当接して、被覆枠体１１、液晶パネル２、光学シート９、バックライト７及びバックライト収容体３を挟持している。これにより、被覆枠体１１は、枠体４と液晶パネル２との間に介在することにより、液晶パネル２を保護することができる。
【０２６２】
本発明に係る液晶表示装置は、前側から後側へ順次積層された液晶パネル２、光学シート９、バックライト７及びバックライト収容体３を備える液晶表示装置において、前記液晶パネル２の前側周縁部及びバックライト収容体３の後側周縁部に当接して、該液晶パネル２、光学シート９、バックライト７及びバックライト収容体３を挟持する前面視形状が矩形状かつ断面形状が内側に向かって開いたコの字状の枠体４を備え、該枠体４は四つの直線状の枠部材４１、４２、４３、４４に分割可能であり、前記枠部材４１、４２、４３、４４は、互いに突き合わさる位置に設けられたほぞ組構造により継ぎ合わされていることを特徴とする。
【０２６３】
本発明に係る液晶表示装置では、前側から後側へ順次積層された液晶パネル２、光学シート９、バックライト７及びバックライト収容体３における液晶パネル２の前側周縁部及びバックライト収容体３の後側周縁部に当接して、これらを挟持する枠体４を備えている。枠体４の前面視形状は矩形状であり、断面形状は内側に向かって開いたコの字状である。枠体４は、直線状の枠部材４１、４２、４３、４４に四分割することが可能である。枠部材４１、４２、４３、４４は、互いに突き合わさる位置に設けられたほぞ組構造により継ぎ合わされている。これにより、液晶表示装置の構成部材は、枠体４により保持されており、筐体を排除している。そのため、液晶表示装置は、筐体の重量及び容積の分だけ、軽量化、薄型化及び狭額縁化を図ることができる。また、枠体４は、四分割可能であり、将来の大型化に対して柔軟に対応することができる。更に、枠体４はほぞ組構造により強度が担保されており、連結部材は不要である。
【０２６４】
本発明に係る液晶表示装置は、前記ほぞ組構造は前記バックライト収容体３の後側周縁部に当接する前記枠体４の後側部分に形成されていることを特徴とする。
【０２６５】
本発明に係る液晶表示装置では、四分割された枠部材４１、４２、４３、４４を継ぎ合わせるほぞ組構造は、バックライト収容体３の後側周縁部に当接する枠体４の後側部分に形成されている。これにより、液晶パネル２の画面に表示される画像を見るために液晶表示装置の前側に位置する視聴者が、枠部材４１、４２、４３、４４の継目を視認することはない。そのため、ほぞ組構造は、液晶表示装置の美観を損なわない。
【０２６６】
本発明に係る液晶表示装置は、一の枠部材４１における前記後側部分の両端部に、継ぎ合わされる他の枠部材４２、４３に対向するほぞ穴４１６が夫々設けられており、前記他の枠部材４２、４３の前記後側部分における前記一の枠部材４１と突き合わさる位置に、夫々前記ほぞ穴４１６に嵌合するほぞ４２６、４３６が設けられていることを特徴とする。
【０２６７】
本発明に係る液晶表示装置では、四つの枠部材４１、４２、４３、４４のうち、一の枠部材４１における後側部分の両端部に、継ぎ合わされる他の枠部材４２、４３と対向するほぞ穴４１６が夫々設けられている。他の枠部材４２、４３の後側部分において、一の枠部材４１と突き合せられる位置に、一の枠部材４１におけるほぞ穴４１６に嵌合するほぞ４２６、４３６が夫々設けられている。これにより、四つの枠部材４１、４２、４３、４４のうち、少なくとも三つの枠部材４１、４２、４３をほぞ組構造により継ぎ合わすことができる。ほぞ組構造が解除されない限り、液晶表示装置の各構成部材は、前後、左右、上下に固定されている。
【０２６８】
本発明に係る液晶表示装置は、前記バックライト収容体３は前面が開口された箱状をなし、前記液晶パネル２、光学シート９及びバックライト７は、前記バックライト収容体３の内底面上に積層されており、前記枠体４における前記後側部分の前面に、突部４１７、４３７が設けられており、前記突部４１７、４３７と対向する前記バックライト収容体３の後側周縁部に、前記突部４１７が嵌合可能なスリット３７が該バックライト収容体３の周縁に対して略平行に設けられていることを特徴とする。
【０２６９】
本発明に係る液晶表示装置では、液晶パネル２、光学シート９及びバックライト７は、前面が開口された箱状のバックライト収容体３の内底面上に積層されている。枠体４における後側部分４１２、４３２の前面には、突部４１７、４３７が設けられている。他方、突部４１７、４３７と対向するバックライト収容体３の後側周縁部には、突部４１７、４３７が嵌合するスリット３７が設けられている。スリット３７の長手方向は、バックライト収容体３の周縁と略平行である。これにより、液晶表示装置から従来のバックキャビネットは排除され、液晶表示装置の後面にバックライト収容体３の底部が露出する態様となる。枠体４の突部４１７、４３７とバックライト収容体３のスリット３７が嵌合することにより、枠体４はバックライト収容体３に固定される。更に、スリット３７の長手方向に枠部材４１、４２、４３をスライド移動することができるため、この動作により枠部材４１のほぞ穴４１６と枠部材４２の４２６とを嵌合させることができる。
【０２７０】
本発明に係る液晶表示装置は、前記バックライト収容体３に、該バックライト収容体３の底面３２と側壁３３とからなる稜部から前記スリット３７の一端部分に達する矩形状の開口３４が設けられており、前記開口３４の寸法は前記突部４１７の寸法よりも大きくしてあることを特徴とする。
【０２７１】
本発明に係る液晶表示装置では、バックライト収容体３の底面３２と側壁３３とからなる陵部からスリット３７の一端部分に達する矩形状の開口３４が、バックライト収容体３に設けられている。矩形状の開口３４の寸法は、突部４１７の寸法よりも大きい。これにより、バックライト収容体３の底部３２にはＬ字状の開口３７が形成される。突部４１７の寸法は、矩形状の開口３４より小さいため、突部４１７は矩形状の開口３４に容易に遊嵌可能である。枠部材をスライド移動することにより、矩形状の開口３４に遊嵌された突部４１７はスリット３７に嵌合され、枠部材はバックライト収容体３に固定される。
【０２７２】
本発明に係る液晶表示装置は、前記枠部材４１、４２、４３、４４は前記液晶パネル２の前側周縁部に当接する前側部分４１１、４２１、４３１、４４１と、前記後側部分４１２、４２２、４３２、４４２との間を連結する側壁４１３、４２３、４３３、４４３を有し、前記枠部材４１、４２、４３、４４のいずれか一つの側壁及び該一つの側壁と対向する前記バックライト収容体３の側壁３３に、ねじ穴３３１が設けられていることを特徴とする。
【０２７３】
本発明に係る液晶表示装置では、枠部材４１、４２、４３、４４は後側部分と、液晶パネル２の前側周縁部に当接する前側部分４１１、４２１、４３１、４４１との間を連結する側壁４１３、４２３、４３３、４４３を有している。枠部材４１、４２、４３、４４のいずれか一つの側壁４１３と、一つの側壁４１３と対向するバックライト収容体３の側壁３３には、ねじ穴３３１が設けられている。これにより、四つの枠部材４１、４２、４３、４４のうち、三つの枠部材４１、４２、４３をほぞ組構造により継ぎ合わせた場合、残りの一つの枠部材４４はバックライト収容体３とねじＮで固定される。一つの枠部材４４とバックライト収容体３とがねじＮで固定された場合、ほぞ組構造は解除されなくなり、液晶表示装置の構成部材は、前後、左右、上下の各方向について固定される。液晶表示装置では、枠体４の固定に使用するねじＮは、一つの枠部材４４の固定に用いられる数まで低減可能である。枠体４におけるほぞ構造は、構成部材を固定するねじの削減を促す。ねじの削減は、液晶表示装置の組み立て効率及び生産性の向上に資する。
【０２７４】
本発明に係る液晶表示装置は、前記枠部材４１、４２、４３、４４は、夫々押出成型品であることを特徴とする。
【０２７５】
本発明に係る液晶表示装置では、枠部材４１、４２、４３、４４は夫々押出成型により形成される。これにより、枠部材４１、４２、４３、４４の断面形状が複雑であっても、枠部材４１、４２、４３、４４は容易に形成可能である。
【０２７６】
本発明に係る液晶表示装置は、前記液晶パネル２の前面周縁部を覆う矩形状の被覆枠体１１を備え、前記枠体４は前記被覆枠体１１の前面及びバックライト収容体３の後側周縁部に当接して、該被覆枠体１１、液晶パネル２、光学シート９、バックライト７及びバックライト収容体３を挟持していることを特徴とする。
【０２７７】
本発明に係る液晶表示装置では、液晶パネル２の前面周縁部を覆う矩形状の被覆枠体１１を備えている。枠体４は、被覆枠体１１の前面とバックライト収容体３の後側周縁部に当接して、被覆枠体１１、液晶パネル２、光学シート９、バックライト７及びバックライト収容体３を挟持している。これにより、被覆枠体１１は、枠体４と液晶パネル２との間に介在することにより、液晶パネル２を保護することができる。
【０２７８】
本発明に係る液晶表示装置は、前側から後側へ順次積層された液晶パネル２、光学シート９、バックライト７及びバックライト収容体３を備える液晶表示装置において、前記バックライト収容体３は前面が開口された箱状をなし、前記液晶パネル２、光学シート９及びバックライト７は、前記バックライト収容体３の内底面上に積層されており、前記液晶パネル２及びバックライト収容体３に当接して、該液晶パネル２、光学シート９、バックライト７及びバックライト収容体３を挟持する前面視形状が矩形状かつ断面形状が内側に向かって開いたコの字状の枠体４を備え、前記枠体４の内面及び該内面と対向する前記バックライト収容体３の外面の一方に突部３５が設けられ、他方に該突部３５が嵌合可能な溝部４１５、４２５、４３５又は開口が設けられていることを特徴とする。
【０２７９】
本発明に係る液晶表示装置では、前面が開口された箱状をなしたバックライト収容体３の内底面上に、液晶パネル２、光学シート９、バックライト７及びバックライト収容体３が前側から後側へ順次積層されている。液晶表示装置は、液晶パネル２及びバックライト収容体３に当接して、液晶パネル２、光学シート９、バックライト７及びバックライト収容体３を挟持する枠体４を備えている。枠体４は、前面視形状が矩形状であり、断面形状が内側に向かって開いたコの字状である。枠体４の内面と、枠体４の内面に対向するバックライト収容体３の外面との一方に突部３５が設けられ、他方に突部３５が嵌合可能な溝部４１５、４２５、４３５又は開口が設けられている。これにより、枠体４はバックライト収容体３に固定され、固定された枠体４が液晶パネル２、光学シート９、バックライト７及びバックライト収容体３を挟持することにより、液晶表示装置の各構成部材は保持される。
【０２８０】
本発明に係る液晶表示装置は、前記開口３７はスリットであり、前記溝部４１５は、直列状に配置され、深さが異なる第一及び第二溝部４１５１及び４１５２と、該第一及び第二溝部４１５１及び４１５２夫々の底部を継ぐ傾斜部４１５３とを有し、前記突部３５の高さは、前記枠体４の内面又は前記バックライト収容体３の外面から第一及び第二溝部４１５１及び４１５２の底部夫々までの距離の中間の長さであることを特徴とする。
【０２８１】
本発明に係る液晶表示装置では、開口３７はスリットであり、溝又はスリットは枠体４の延在方向に略平行に設けられている。これにより、突部３５が溝又はスリットに嵌合した状態で、かつ枠体４が液晶パネル２、光学シート９、バックライト７及びバックライト収容体３を挟持した状態で、枠体４の一部を枠体の延在方向にスライド移動することができる。また、本発明に係る液晶表示装置では、溝部４１５は、第一溝部４１５１と第二溝部４１５２とを有している。第一溝部４１５１と第二溝部４１５２とは、直列状に配置され、底部の深さが異なる。また、溝部４１５は、第一溝部４１５１と第二溝部４１５２との底部を夫々継ぐ傾斜部４１５３を有している。突部３５の高さは、枠体４の内面又はバックライト収容体３の外面から第一溝部４１５１及び第二溝部４１５２夫々までの距離の中間である。これにより、枠体４の一部を枠体４の延在方向にスライド移動した場合、突部３５は第一溝部４１５１と第二溝部４１５２との間をスムーズに移動することができる。また、液晶パネル２、光学シート９、バックライト７及びバックライト収容体３を挟持する枠体４の幅は、変化する。従って、液晶パネル２、光学シート９、バックライト７及びバックライト収容体３に対して枠体４の幅が狭くなる方向に、枠体４の一部をスライド移動することにより、枠体４が液晶パネル２、光学シート９、バックライト７及びバックライト収容体３を挟持する力を増大させることができる。
【０２８２】
本発明に係る液晶表示装置は、前記枠体４は四つの直線状の枠部材４１、４２、４３、４４に分割可能であり、前記枠部材４１、４２、４３、４４は、夫々押出成型品であることを特徴とする。
【０２８３】
本発明に係る液晶表示装置では、枠体４は四つの直線状の枠部材４１、４２、４３、４４に分割することができる。枠部材４１、４２、４３、４４は夫々押出成型品である。これにより、四分割された枠部材４１、４２、４３、４４が複雑な断面形状をなしていても、当該枠部材４１、４２、４３、４４を押出成型により容易に形成することができる。
【０２８４】
本発明に係る液晶表示装置は、前記バックライト収容体３の外面に前記突部３５が設けられており、前記枠体４の内面に前記溝部４１５、４２５、４３５が設けられており、前記枠体４は、前記溝部４１５、４２５、４３５の一端方向に該溝部４１５、４２５、４３５よりも深く削成された平坦部４２２３、４３２３と、該平坦部４２２３、４３２３及び前記溝部４１５、４２５、４３５の底部を継ぐ傾斜部４２２４、４３２４とを有し、前記突部３５の高さは、前記バックライト収容体３の外面から前記溝部４１５、４２５、４３５の底部及び前記平坦部４２２３、４３２３夫々までの距離の中間の長さであることを特徴とする。
【０２８５】
本発明に係る液晶表示装置では、突部３５はバックライト収容体３の外面に設けられており、溝部４１５、４２５、４３５は枠体４の内面に設けられている。枠体４は溝部４１５、４２５、４３５、平坦部４２２３、４３２３及び傾斜部４２２４、４３２４を有している。平坦部４２２３、４３２３は溝部４１５、４２５、４３５の一端方向に溝部４１５、４２５、４３５よりも深く削成されている。傾斜部４２２４、４３２４は、溝部４１５、４２５、４３５と平坦部４２２３、４３２３とを継いでいる。突部３５の高さは、バックライト収容体３の外面から溝部４１５、４２５、４３５の底部までの距離と、バックライト収容体３の外面から平坦部４２２３、４３２３までの距離との中間の長さである。これにより、突部３５が平坦部４２２３、４３２３と対向するように、枠部材で液晶パネル２、光学シート９、バックライト７及びバックライト収容体３を挟み込む場合、液晶パネル２、光学シート９、バックライト７及びバックライト収容体３は、枠部材のコの字に開いた部分に容易に挿入される。そして、液晶パネル２、光学シート９、バックライト７及びバックライト収容体３に対して枠体４の幅が狭くなる方向に、枠体４の一部をスライド移動することにより、突部３５を溝部４１５、４２５、４３５に嵌合させて、枠部材をバックライト収容体３に固定することができる。また、枠部材は液晶パネル２、光学シート９、バックライト７及びバックライト収容体３を挟持する力を増大させることができる。
【０２８６】
本発明に係る液晶表示装置は、前記バックライト７は、光源８ａが実装された基板８と、前記光源８ａの光を側面から入射し、前記光学シート９に光を出射する導光板７とを有し、前記基板８は前記導光板７の側面と対向する前記バックライト収容体３の内側面に配置されていることを特徴とする。
【０２８７】
本発明に係る液晶表示装置では、バックライト７は、光源８ａが実装された基板８と、導光板７とを有している。すなわち、液晶表示装置は、エッジライト方式を採用している。導光板７は、光源８ａの光を側面から入光し、光学シート９に光を出射する。基板８は、導光板７の側面と対向するバックライト収容体３の内側面に配置されている。これにより、液晶表示装置は、バックライト７の厚みを導光板７の厚みまで薄くすることができる。
【０２８８】
本発明に係る液晶表示装置は、前記液晶パネル２の前面周縁部を覆う矩形状の被覆枠体１１を備え、前記枠体４は前記被覆枠体１１及びバックライト収容体３に当接して、該被覆枠体１１、液晶パネル２、光学シート９、バックライト７及びバックライト収容体３を挟持していることを特徴とする。
【０２８９】
本発明に係る液晶表示装置では、液晶パネル２の前面周縁部を覆う矩形状の被覆枠体１１を備えている。枠体４は、被覆枠体１１とバックライト収容体３とに当接して、被覆枠体１１、液晶パネル２、光学シート９、バックライト７及びバックライト収容体３を挟持している。これにより、枠体４と液晶パネル２とが直接接し、液晶パネル２に傷が付くことを被覆枠体１１が阻止している。そのため、被覆枠体１１は液晶パネル２を保護することができる。
【０２９０】
本発明に係る表示装置５０は、映像を表示する表示パネル５６と、該表示パネル５６の周囲を覆う枠体６０とを備え、前記枠体６０は前記表示パネル５６の縁に沿って延びる複数の枠部材６１〜６３によって構成される表示装置５０において、一の枠部材６１、６３は、前記表示パネル５６の縁部分を挿入する長手方向に延びたパネル挿入溝６１ａ、６３ａと、該パネル挿入溝６１ａ、６３ａの端部に形成してあり、他の枠部材６１、６３を嵌合する嵌合凹部７０、１１５、６３ｃとを備え、前記他の枠部材６１、６３の端部に前記嵌合凹部７０、１１５、６３ｃに嵌合する突出部１３２、１３５、６１ｃを設けてあることを特徴とする。
【０２９１】
本発明に係る表示装置５０では、一の枠部材６１のパネル挿入溝６１ａに嵌合凹部７０、１１５、６３ｃを形成し、他の枠部材６３の端部に設けた突出部１３２、１３５、６１ｃを嵌合凹部７０、１１５、６３ｃに嵌合し、隙間の発生を防ぐことができる。
【０２９２】
本発明に係る表示装置５０は、前記突出部１３２、１３５は尖端部分を有し、前記嵌合凹部７０、１１５は前記パネル挿入溝６１ａ〜６３ａの内面に形成してあり、前記尖端部分に対応したＶ字状をなすことを特徴とする。
【０２９３】
本発明に係る表示装置５０では、他の枠部材６３の尖端部分をＶ字状の嵌合凹部７０、１１５に嵌合し、隙間の発生を防ぐことができる。
【０２９４】
本発明に係る表示装置５０は、前記尖端部分は、前記他の枠部材６３の端部外周面から突出した円弧状の尖端条１３２であり、前記嵌合凹部７０は前記パネル挿入溝６１ａの底面及び両側面に亘ってＵ字状に延びた断面Ｖ字形の溝状をなすことを特徴とする。
【０２９５】
本発明に係る表示装置５０では、他の枠部材６３の端部に形成した尖端条１３２を、断面Ｖ字形の溝をなす嵌合凹部７０に嵌合させて、隙間の発生を防ぐことができる。
【０２９６】
本発明に係る表示装置５０は、前記嵌合凹部１１５は前記パネル挿入溝６１ａの側面に形成してあり、対向する前記嵌合凹部１１５の両側面の対向間距離は前記パネル挿入溝６１ａの底面側が短くなるようにしてあることを特徴とする。
【０２９７】
本発明に係る表示装置５０では、嵌合凹部１１５の対向する側面間距離を短くし、隙間の発生を防ぐことができる。
【０２９８】
本発明に係る表示装置５０は、前記表示パネル５６は矩形状をなし、前記嵌合凹部１１５は、前記表示パネル５６の互いに直交する二周面に交差する方向に傾斜した傾斜面１１５ａを有することを特徴とする。
【０２９９】
本発明に係る表示装置５０では、嵌合凹部１１５に、前記表示パネル５６の互いに直交する二側面に交差する方向に傾斜した傾斜面１１５ａを形成する。他の枠部材６３の突出部１３５を一の枠部材６１の嵌合凹部７０に嵌合した場合に、一の枠部材６１は他の枠部材６３から作用する力によって、他の枠部材６３に近接する。
【０３００】
本発明に係る表示装置５０は、前記嵌合凹部６３ｃ及び突出部６１ｃは前記他の枠部材６１の長手方向に直交する方向に沿って設けてあり、前記突出部６１ｃは前記他の枠部材６１における前記パネル挿入溝６１ａの内面に設けてあり、前記他の枠部材６１における前記パネル挿入溝６１ａの内側にて、前記突出部６１ｃが前記嵌合凹部６３ｃに嵌合していることを特徴とする。
【０３０１】
本発明に係る表示装置５０では、嵌合凹部６３ｃ及び突出部６１ｃが他の枠部材６１の長手方向、例えば横方向に直交する上下方向に沿っており、横方向及び上下方向に沿う二つの枠部材６１、６３を連結した場合に、上下方向にて連結部分に隙間が生じていても、突出部６１ｃが嵌合凹部６３ｃに嵌合することによって、横方向に枠部材６１、６３が偏倚することを防止することができる。また、他の枠部材６１におけるパネル挿入溝６１ａの内側において、突出部６１ｃが嵌合凹部６３ｃに嵌合するので、突出部６１ｃ及び嵌合凹部６３ｃは外部から視認されず、外観意匠性を向上させることができる。
【０３０２】
本発明に係る表示装置５０は、前記一及び他の枠部材６１、６３それぞれにおける前記パネル挿入溝６１ａ、６３ａの一側面側に前記嵌合凹部６３ｃ及び突出部６１ｃが設けてあり、前記一及び他の枠部材６１、６３それぞれにおける前記一側面に対向した前記パネル挿入溝６１ａ、６３ａの他側面側に、前記嵌合凹部６３ｃ及び突出部６１ｃによる嵌合を案内する案内凹部６３ｄ及び案内凸部６１ｄが設けてあることを特徴とする。
【０３０３】
本発明に係る表示装置５０では、案内凸部６１ｄを案内凹部６３ｄに挿入することによって、枠部材同士を円滑に連結させることができる。
【０３０４】
本発明に係る表示装置５０は、前記嵌合凹部６３ｃの開口縁部分に、前記一の枠部材の長手方向に交差する方向に沿った傾斜面６３ｂを設けてあることを特徴とする。
【０３０５】
本発明に係る表示装置５０では、嵌合凹部６３ｃの開口縁部分に傾斜面６３ｂを設けることによって、該傾斜面６３ｂに沿って突出部６１ｃを嵌合凹部６３ｃに導くことができる。
【０３０６】
本発明に係る表示装置５０では、上述したように一の枠部材６１、６３のパネル挿入溝６１ａ、６３ａに嵌合凹部７０、１１５、６３ｃを形成し、他の枠部材６１、６３の端部の突出部１３２、１３５、６１ｃを嵌合凹部７０、１１５、６３ｃに嵌合し、隙間の発生を防ぐことができる。
【０３０７】
本発明に係る液晶表示装置は、前側に表示面を有する略矩形状の液晶表示パネル８３と、該液晶表示パネル８３の後方に配された光源１２１と、該液晶表示パネル８３の後面側に配され、該光源１２１と対向する端面から入射した光で前記液晶表示パネル８３の後面を照射する略矩形板状の導光板１２３と、該導光板１２３の後面側に配され、前記導光板１２３及び光源１２１を収容する収容体８０と、前後方向に積層された前記液晶表示パネル８３、前記導光板１２３及び前記収容体８０の周縁を前後から挾持する溝が内周に形成された枠体８５とを備える液晶表示装置であって、前記液晶表示パネル８３は、帯状をなし、前記液晶表示パネル８３の一端面側で、一端部が接続され、他端部が前記収容体８０の後側に位置し、液晶駆動回路１４２ａが配されたフレキシブル基板１４２を備え、前記枠体８５は、前記フレキシブル基板１４２の前記液晶駆動回路１４２ａが配された箇所、又は前記液晶駆動回路１４２ａに当接する当接部１５４ｄを備えることを特徴とする。
【０３０８】
本発明に係る液晶表示装置では、収容体８０に、導光板１２３、光学シート１２４及び液晶表示パネル８３を積層し、その周縁を、内周に溝が形成された枠体８５で挾持することにより、液晶表示装置を薄型化することができる。また、フレキシブル基板１４２に配された液晶駆動回路１４２ａ、又はフレキシブル基板１４２の液晶駆動回路１４２ａが配された箇所は枠体８５に当接しているため、液晶駆動回路１４２ａで発生した熱を枠体８５に伝導させ、放熱することが可能である。更に、液晶表示パネル８３の前記一端面側で接続されたフレキシブル基板１４２は、溝状の枠体の内面に沿って、収容体８０の背面側に引き回されているため、Ｌ字状のベゼルに沿ってフレキシブル基板１４２を引き回す場合に比べて、枠体８５の内面に当接させ易い。
【０３０９】
本発明に係る液晶表示装置は、前記当接部１５４ｄは、前記一端面の長手方向に略平行な線条突起であり、前記導光板１２３の端面との距離が前側に比べて後側の方が長い傾斜面１５４ｅを有することを特徴とする。
【０３１０】
本発明に係る液晶表示装置では、液晶駆動回路１４２ａに当接する当接部１５４ｄが線条突起であり、導光板１２３の端面との距離が前側に比べて後側の方が長い傾斜面１５４ｅを有するため、フレキシブル基板１４２は線条突起の傾斜面１５４ｅに沿って引き回され、液晶駆動回路１４２ａは傾斜面１５４ｅに当接する。従って、液晶駆動回路１４２ａをより容易に当接部１５４ｄに当接させることができる。また、より短い経路を通ってフレキシブル基板１４２を収容体８０の後側に引き回せる。このため、フレキシブル基板１４２の長さを短くすることができる。
【０３１１】
本発明に係る液晶表示装置は、前記収容体８０及び前記導光板１２３の周縁を覆う遮光枠体１２５を備え、前記液晶駆動回路１４２ａは、前記当接部１５４ｄの傾斜面１５４ｅと、前記遮光枠体１２５との間に配されていることを特徴とする。
【０３１２】
本発明に係る液晶表示装置では、傾斜面１５４ｅと、遮光枠体１２５との間に液晶駆動回路１４２ａが挟まれるように位置するため、より確実に液晶駆動回路１４２ａ、又はフレキシブル基板１４２の液晶駆動回路１４２ａが配された箇所を当接部１５４ｄに当接させることが可能である。
【０３１３】
本発明に係る液晶表示装置は、前記枠体８５は、前記収容体８０よりも熱伝導率が高く、前記フレキシブル基板１４２が引き回されている部分の後側の表面積は該部分の前側の表面積より広いことを特徴とする。
【０３１４】
本発明に係る液晶表示装置では、液晶表示パネル８３の枠体８５は収容体８０よりも熱伝導率が高く、前側の表面積は後側の表面積より大きいため、液晶駆動回路１４２ａの熱を枠体８５の後側部分から効率的に放熱することが可能である。
【０３１５】
本発明に係る液晶表示装置は、前側に表示面を有する略矩形状の液晶表示パネル８３と、該液晶表示パネル８３の後方に配された光源１２１と、該液晶表示パネル８３の後面側に配され、該光源１２１と対向する端面から入射した光で前記液晶表示パネル８３の後面を照射する略矩形板状の導光板１２３と、該導光板１２３の後面側に配され、前記導光板１２３及び光源１２１を収容する収容体８０と、前後方向に積層された前記液晶表示パネル８３、前記導光板１２３及び前記収容体８０の周縁を前後から挾持する溝が内周に形成された枠体８５とを備える液晶表示装置であって、前記枠体８５は、前記液晶表示パネル８３の前記光源１２１側を挾持する部分の後側の表面積が該部分の前側の表面積より広いことを特徴とする。
【０３１６】
本発明に係る液晶表示装置では、枠体８５は後側の表面積が前側の表面積より広いため、光源の熱は主に枠体８５の後側から発散する。
【０３１７】
本発明に係る液晶表示装置は、前記液晶表示パネル８３の前記光源１２１側を挾持する部分を前記収容体８０に締結すると共に、前記光源１２１で発生した熱を前記収容体８０から前記枠体８５へ伝導させる締結部材８７を備えることを特徴とする。
【０３１８】
本発明に係る液晶表示装置では、光源１２１で発生した熱は締結部材８７を通じて枠体８５に伝導する。
【０３１９】
本発明に係る液晶表示装置は、前記収容体８０及び前記導光板１２３の周縁を覆う遮光枠体１２５を備え、該遮光枠体１２５は前記収容体８０及び前記枠体８５よりも熱伝導率が低いことを特徴とする。
【０３２０】
本発明に係る液晶表示装置では、光源１２１を収容した収容体８０の周縁と、枠体８５との間に遮光枠体１２５が位置しており、該遮光枠体１２５の熱伝導率がシャーシ及び枠体８５よりも低いため、液晶表示パネル８３の側面からの放熱を抑えることが可能である。
【０３２１】
本発明に係る液晶表示装置は、前記収容体８０は、前記液晶表示パネル８３の前記光源１２１側の辺に略平行な線条凸部９３を後側面に有し、前記枠体８５は、前記収容体８０よりも熱伝導率が高く、前記液晶パネル８３、前記導光板１２３及び前記収容体８０を挾持するための前板部１５４ａと、後板部１５４ｃと、該前板部１５４ａ及び後板部１５４ｃを繋ぐ側板部１５４ｂとを有し、該後板部１５４ｃは前記線条凸部９３に当接していることを特徴とする。
【０３２２】
本発明に係る液晶表示装置では、枠体８５の後板部１５４ｃに伝導した熱の一部を、シャーシの線条凸部９３を介してシャーシに発散することができる。線条凸部９３が設けられている部分は、光源１２１から離れており、収容体８０の熱伝導率が枠体８５よりも低いため、該部分は枠体８５の後板部１５４ｃよりも低温である。このため、枠体８５の後板部１５４ｃの熱をシャーシに伝導させることができ、より効果的に熱を後側に発散することができる。
【０３２３】
本発明に係るテレビジョン受信機は、上述したいずれか一つの液晶表示装置又は表示装置と、テレビジョン放送を受信する受信部とを備え、前記受信部にて受信したテレビジョン放送に基づいて、前記液晶表示装置又は表示装置に映像を表示するようにしてあることを特徴とする。
【０３２４】
本発明によれば、テレビジョン放送の映像を表示することが可能である。
【符号の説明】
【０３２５】
（実施の形態１〜５）
１  テレビジョン受信機
２  液晶パネル
３  バックライトシャーシ（バックライト収容体）
３１  カシメボス
３２  底板
３３  側板
３３１  ねじ挿通穴
３４  開口
３５  突出部
３６  ボス
３７  Ｌ字開口部
３７１  Ｔ字開口部
３８  側壁突出部
３９  平坦突出部
４  枠体
４１  上枠（枠部材）
４１１  前壁
４１２  後壁
４１２１  凹部
４１３  側壁
４１４  規制リブ
４１５  溝部
４１５１  第一溝部
４１５２  第二溝部
４１５３  傾斜部
４１６  ほぞ穴
４１７  嵌合突出部（突部）
４１７１  Ｔ字突出部
４１８  側壁嵌合溝部
４２  側枠（枠部材）
４２１  前壁
４２２  後壁
４２２１  凹部
４２２２  溝部
４２２３  平坦部
４２２４  傾斜部
４２３  側壁
４２４  規制リブ
４２５  溝部
４２６  ほぞ
４２７１  Ｔ字突出部
４３  側枠（枠部材）
４３１  前壁
４３２  後壁
４３２１  凹部
４３２２  溝部
４３２３  平坦部
４３２４  傾斜部
４３３  側壁
４３４  規制リブ
４３５  溝部
４３６  ほぞ
４３７  嵌合突出部
４３７１  Ｔ字突出部
４４  下枠（枠部材）
４４１  前壁
４４２  後壁
４４３  側壁
４４３１  ねじ挿通穴
５  基板カバー
６  反射シート
７  導光板
７１  突出部
８  ＬＥＤ基板
８１  ねじ穴
８ａ  ＬＥＤ
９  光学シート
１０  遮光ホルダ（遮光枠体）
１０１  上枠
１０２  側枠
１０３  側枠
１０４  下枠
１０５  前壁
１０６  側壁
１０６１  ねじ挿通穴
１０７  切欠き
１０８  突起
１０９  係入切欠き部
１１０  傾斜面
１１  パネルカバー（被覆枠体）
１１１  リブ
１１２  リブ
１２  バックキャビネット
Ｐ  電源基板
Ｔ  受信部
Ｄ  液晶駆動基板
Ｆ  フレキシブル基板
Ｎ  ねじ
（実施の形態６〜８）
５１  テレビジョン受信機
５６  表示パネル
６０  枠体
６１  上枠部材（枠部材）
６１ｃ  突出部
６１ｄ  案内凸部
６２  下枠部材（枠部材）
６３  横枠部材（枠部材）
６３ｂ  傾斜面
６３ｃ  切欠（嵌合凹部）
６３ｄ  案内凹部
６１ａ、６２ａ、６３ａ  挿入溝（パネル挿入溝）
５０  表示装置
７０  嵌合溝（嵌合凹部）
９１  側面
９２  底面
１１３  傾斜面
１１５  嵌合溝（嵌合凹部）
１１５ａ、１１５ｂ  側面
１３０ａ  突出部
１３２  尖端条（突出部）
１３２ａ  傾斜面
１３２ｂ  対向面
１３５  尖端部分（突出部）
１３５ａ、１３５ｂ  傾斜面
（実施の形態９）
８０  収容体
８２  バックライト装置
８３  液晶表示パネル
８４  パネルカバー
８５  枠体
８６  液晶タイミング制御基板
８７  締結部材
９３  線条凸部
１２１  ＬＥＤ光源
１２２  反射シート
１２３  導光板
１２４  光学シート
１２５  遮光枠体
１４１  表示面
１４２  フレキシブル基板
１４２ａ  液晶駆動回路
１４３  リジッド基板
１４４  コネクタ
１４５  フラットケーブル
１４６  信号線
１５１  上枠体
１５２、１５３  横枠体
１５４  下枠体
１５４ａ  前板部
１５４ｂ  底板部
１５４ｃ  後板部
１５４ｄ  当接部
１５４ｅ  傾斜面
【要約】
【課題】軽量化、薄型化及び狭額縁化を実現することができる液晶表示装置を提供する。
【解決手段】液晶表示装置１は、前側から後側へ順次積層された液晶パネル２、光学シート９、バックライト７及びバックライト収容体３を備える。液晶表示装置１は、液晶パネル２、光学シート９、バックライト７及びバックライト収容体３を挟持する矩形状の枠体４４を備え、枠体４４は断面形状が内側に向かって開いたコの字状をなす。
【選択図】図８Ｂ【図１】
0005554870.tif 000002
【図２】
0005554870.tif 000003
【図３】
0005554870.tif 000004
【図４】
0005554870.tif 000005
【図５Ａ】
0005554870.tif 000006
【図５Ｂ】
0005554870.tif 000007
【図６】
0005554870.tif 000008
【図７】
0005554870.tif 000009
【図８Ａ】
0005554870.tif 000010
【図８Ｂ】
0005554870.tif 000011
【図８Ｃ】
0005554870.tif 000012
【図８Ｄ】
0005554870.tif 000013
【図９】
0005554870.tif 000014
【図１０Ａ】
0005554870.tif 000015
【図１０Ｂ】
0005554870.tif 000016
【図１０Ｃ】
0005554870.tif 000017
【図１１】
0005554870.tif 000018
【図１２Ａ】
0005554870.tif 000019
【図１２Ｂ】
0005554870.tif 000020
【図１２Ｃ】
0005554870.tif 000021
【図１２Ｄ】
0005554870.tif 000022
【図１２Ｅ】
0005554870.tif 000023
【図１２Ｆ】
0005554870.tif 000024
【図１２Ｇ】
0005554870.tif 000025
【図１２Ｈ】
0005554870.tif 000026
【図１２Ｉ】
0005554870.tif 000027
【図１２Ｊ】
0005554870.tif 000028
【図１３Ａ】
0005554870.tif 000029
【図１３Ｂ】
0005554870.tif 000030
【図１４】
0005554870.tif 000031
【図１５】
0005554870.tif 000032
【図１６】
0005554870.tif 000033
【図１７】
0005554870.tif 000034
【図１８】
0005554870.tif 000035
【図１９Ａ】
0005554870.tif 000036
【図１９Ｂ】
0005554870.tif 000037
【図１９Ｃ】
0005554870.tif 000038
【図１９Ｄ】
0005554870.tif 000039
【図１９Ｅ】
0005554870.tif 000040
【図２０】
0005554870.tif 000041
【図２１】
0005554870.tif 000042
【図２２】
0005554870.tif 000043
【図２３】
0005554870.tif 000044
【図２４】
0005554870.tif 000045
【図２５】
0005554870.tif 000046
【図２６】
0005554870.tif 000047
【図２７】
0005554870.tif 000048
【図２８】
0005554870.tif 000049
【図２９】
0005554870.tif 000050
【図３０】
0005554870.tif 000051
【図３１】
0005554870.tif 000052
【図３２】
0005554870.tif 000053
【図３３】
0005554870.tif 000054
【図３４】
0005554870.tif 000055
【図３５】
0005554870.tif 000056
【図３６】
0005554870.tif 000057
【図３７】
0005554870.tif 000058
【図３８】
0005554870.tif 000059
【図３９】
0005554870.tif 000060
【図４０】
0005554870.tif 000061
【図４１】
0005554870.tif 000062